(57)【要約】      （修正有）【課題】堆積物の蓄積を防ぎ、オリフィスプレートをクリーニングする方法を提供する。【解決手段】インクジェット印刷ヘッド１００のクリーニング及び保管は、成形ワイパのハンドリング端部の１つ以上のショルダーがスリットの１つ以上の縁部それぞれに接触するように、成形ワイパのチップを印刷マスク１０４のスリットに挿入し、オリフィスプレート１０２をクリーニングする。成形ワイパのショルダーは、ワイピング中にチップが予め決定した圧力をオリフィス表面に加える。長期間印刷しない間の堆積物の蓄積の予防は、印刷ヘッドの少なくともオリフィス表面を、ノズルからの揮発性の液体の蒸発を回避する保護液に入れ、「ナイトプレート」は、印刷マスクのスリットを密封し、印刷ヘッドからパージされるインクは、印刷ヘッドとマスクの間の隙間を満たすために使用され、それにより、少なくともオリフィスプレートをパージされたインクで覆う。【選択図】図１
2020097236.tif 000002
【特許請求の範囲】
【請求項１】
印刷方法であって、該方法は、
（ａ）成形ワイパのハンドリング端部の１つ以上のショルダーがスリットの各１以上の縁部と接触し、チップがオリフィス表面に予め決定した圧力を加えるように、マスクの前記スリットへ前記成形ワイパの前記チップを挿入する工程；及び
（ｂ）前記チップが前記オリフィス表面をワイプするように、前記オリフィス表面に対して前記成形ワイパを移動させる工程
を含むことを特徴とする、方法。
【請求項２】
チップを挿入する工程は、前記スリットの側部上の幅広いセクションを介して前記チップを挿入する工程を含み、幅広い前記セクションは、前記成形ワイパの前記チップを受けて、且つ前記スリットへと前記チップを誘導するように構成されたことを特徴とする、請求項１に記載の方法。
【請求項３】
チップを挿入する工程は、前記スリットの側部を介して前記チップを挿入する工程を含むことを特徴とする、請求項１に記載の方法。
【請求項４】
チップを挿入する工程は、前記スリットの底部から前記チップを挿入する工程を含むことを特徴とする、請求項１に記載の方法。
【請求項５】
成形ワイパを移動させる工程は、１つ以上の前記ショルダーと前記スリットの各１つ以上の前記縁部の間の接触を維持する間に、前記スリットに沿って前記成形ワイパを移動させる工程を含むことを特徴とする、請求項１に記載の方法。
【請求項６】
成形ワイパを移動させる工程は、前記チップの１以上の側部と、前記スリットの各１以上の縁部の間の接触を維持する間に、前記スリットに沿って前記成形ワイパを移動させる工程を含むことを特徴とする、請求項１に記載の方法。
【請求項７】
ワイピングのない期間中、前記成形ワイパの少なくとも前記チップは、クリーニング液、及び印刷液からなる群から選択される流体に保管されることを特徴とする、請求項１に記載の方法。
【請求項８】
前記チップはオープンセルフォームで作られていることを特徴とする、請求項１に記載の方法。
【請求項９】
前記チップは、チップ幅とチップ高を有し；及び、前記ハンドリング端部は、前記チップ幅より大きな側部幅を備えた側部を有し、ここで前記チップは、前記側部上の１つ以上の前記ショルダーを備えた前記ハンドリング端部を構成するように前記側部に位置付けられ、１つ以上の前記ショルダーのショルダー幅は、前記側部幅と前記チップ幅の間の差であることを特徴とする、請求項１に記載の方法。
【請求項１０】
前記チップは、２つの前記ショルダーを備えた前記ハンドリング端部を構成するように前記側部に位置付けられ、２つの前記ショルダーの各々は、前記チップの反対側部上にあることを特徴とする、請求項９に記載の方法。
【請求項１１】
２つの前記ショルダーの各々は、ほぼ同じ幅であることを特徴とする、請求項１０に記載の方法。
【請求項１２】
前記スリットは、前記チップのチップ幅とほぼ等しいスリット幅を有していることを特徴とする、請求項１に記載の方法。
【請求項１３】
前記オリフィス表面は、オリフィス直径を有する１つ以上のオリフィスを有し、前記チップのチップ幅は前記オリフィス直径と少なくとも同じくらい広く、それにより、１つ以上の前記オリフィスが前記成形ワイパの前記チップの１回の引き抜きによってワイプされることを可能にすることを特徴とする、請求項１に記載の方法。
【請求項１４】
予め決定した前記圧力は、圧力の許容可能な予め決定した範囲から選択されることを特徴とする、請求項１に記載の方法。
【請求項１５】
前記オリフィス表面は、インクジェット印刷ヘッドであることを特徴とする、請求項１に記載の方法。
【請求項１６】
印刷システムであって、該システムは、
（ａ）成形ワイパを含み、該成形ワイパは、
（ｉ）チップ幅とチップ高を有するチップ；及び
（ｉｉ）前記チップ幅より大きな側部幅を備えた側部を有するハンドリング端部を含み、
ここで、前記チップは、前記側部上に１つ以上のショルダーを備えた前記ハンドリング端部を構成するように前記側部に位置付けられ、１つ以上の前記ショルダーのショルダー幅は前記側部幅と前記チップ幅の間の差であり；及び、１つ以上の前記ショルダーが、与えられたシールド深さを備えたスリットの１つ以上の縁部に対して押される場合、前記チップ高が前記シールド深さとほぼ等しくなるように、前記チップ高が構成され、ここで、前記シールド深さは、前記スリットの１つ以上の縁部とオリフィス表面の間の距離であることを特徴とする、システム。
【請求項１７】
前記チップは、２つのショルダーを備えた前記ハンドリング端部を構成するように前記側部に位置付けられ、２つの前記ショルダーの各々は、前記チップの反対側部上にあることを特徴とする、請求項１６に記載の印刷システム。
【請求項１８】
２つの前記ショルダーの各々は、ほぼ同じ幅であることを特徴とする、請求項１７に記載の印刷システム。
【請求項１９】
１つ以上の前記ショルダーが、与えられたシールド深さを備えたスリットの１つ以上の縁部に対して押される場合、前記チップは、前記オリフィス表面に予め決定した圧力を加えることを特徴とする、請求項１６に記載の印刷システム。
【請求項２０】
予め決定した前記圧力は、圧力の許容可能な予め決定した範囲から選択されることを特徴とする、請求項１９に記載の印刷システム。
【請求項２１】
前記スリットを含む印刷マスクを含み、前記スリットが前記チップ幅にほぼ等しいスリット幅を有していることを特徴とする、請求項１６に記載の印刷システム。
【請求項２２】
前記スリットは、前記スリットの少なくとも１つの対応する側部上に１つ以上の幅広いセクションを含み、前記幅広いセクションは前記成形ワイパの前記チップを受け、前記チップを前記スリットに誘導するように構成されることを特徴とする、請求項２１に記載の印刷システム。
【請求項２３】
前記スリット幅は、０．４ミリメートル（ｍｍ）と２ｍｍの間であることを特徴とする、請求項２１に記載の印刷システム。
【請求項２４】
前記チップ幅は、前記スリット幅に等しい又はそれよりも広く、及び前記スリット幅の１０％を加えた前記スリット幅［（チップ幅＝スリット幅＋（０〜１０％）］に等しい又はそれよりも狭いことを特徴とする、請求項２２に記載の印刷システム。
【請求項２５】
前記オリフィス表面から前記マスクの底部までの前記シールド深さは、０．４ｍｍと２ｍｍの間にあり（シールド深さ＝０．４乃至２ｍｍ）、１つ以上の前記ショルダーから前記チップの遠心端までの前記チップ高は、最初の高さの５％乃至３０％を加えた前記シールド深さである（チップ高＝シールド深さ＋５％乃至３０％）ことを特徴とする、請求項２１に記載の印刷システム。
【請求項２６】
前記オリフィス表面は、オリフィス直径を有する１つ以上のオリフィスを有し、前記チップ幅は前記オリフィス直径と少なくとも同じくらい広く、それにより、１つ以上の前記オリフィスが前記成形ワイパの前記チップの１回の引き抜きによってワイプされることを可能にすることを特徴とする、請求項１６に記載の印刷システム。
【請求項２７】
前記チップはオープンセルフォームで作られていることを特徴とする、請求項１６に記載の印刷システム。
【請求項２８】
前記チップはポリオレフィンで作られていることを特徴とする、請求項１６に記載の印刷システム。
【請求項２９】
前記オリフィス表面はインクジェット印刷ヘッドであることを特徴とする、請求項１６に記載の印刷システム。
【請求項３０】
印刷しない期間中に印刷ヘッドを保管する方法であって、該方法は、
（ａ）印刷インクが、オリフィス表面のほぼ全てに接触するように、印刷ヘッドに対して前記インクリテーナーを位置付ける工程であって、前記印刷インクが少なくともインクリテーナーの少なくとも一部を少なくとも部分的に満たす、工程：及び、
（ｂ）少なくとも部分的に、前記インクリテーナーを前記印刷インクで満たす工程
を含むことを特徴とする、方法。
【請求項３１】
（ｃ）印刷中に、インクがオリフィス表面から基板まで噴射され得るように、印刷ヘッドに対して前記インクリテーナーを位置付ける工程
を含むことを特徴とする、請求項３０に記載の方法。
【請求項３２】
前記インクリテーナーは、インク槽の少なくとも一部がオリフィス表面を囲み、前記一部が印刷インクで少なくとも部分的に満たされる時、前記印刷インクが前記オリフィス表面のほぼ全てに接触するように構成されるインク槽を含むことを特徴とする、請求項３０に記載の方法。
【請求項３３】
前記槽は、印刷ヘッドからパージされた前記印刷インクで少なくとも部分的に満たされることを特徴とする、請求項３２に記載の方法。
【請求項３４】
前記インクリテーナーは、オープンセルフォームを含み、前記オープンセルフォームは、前記印刷インクで少なくとも部分的に満たされ、その後満たされたオープンセルフォームは、前記オリフィス表面に接して位置付けられることを特徴とする、請求項３０に記載の方法。
【請求項３５】
前記インクリテーナーはオープンセルフォームを含み、前記オープンセルフォームは前記オリフィス表面に接して位置付けられ、その後オープンセルフォームは前記印刷インクで少なくとも部分的に満たされることを特徴とする、請求項３０に記載の方法。
【請求項３６】
前記オープンセルフォームを少なくとも部分的に満たすために、前記印刷インクは印刷ヘッドからパージされることを特徴とする、請求項３５に記載の方法。
【請求項３７】
前記インクリテーナーは、前記印刷インクで繰り返し満たされることを特徴とする、請求項３０に記載の方法。
【請求項３８】
前記インクリテーナーは、印刷ヘッドからのインクのパージにより繰り返し満たされることを特徴とする、請求項３０に記載の方法。
【請求項３９】
前記印刷インクの少なくとも一部は前記インクリテーナーから除去され、除去された前記インクの少なくとも一部は、前記インクリテーナーを満たすのに利用可能とされることを特徴とする、請求項３０に記載の方法。
【請求項４０】
前記印刷インクの少なくとも一部は前記インクリテーナーから除去され、新しいインクは前記インクリテーナーを満たすのに利用可能とされることを特徴とする、請求項３０に記載の方法。
【請求項４１】
オリフィス表面を備えた印刷ヘッドを含む印刷システムであって、該システムは、
（ａ）印刷インクで少なくとも部分的に満たされたインクリテーナーの少なくとも一部で構成されたインクリテーナー；及び
（ｂ）印刷ヘッドに対して前記インクリテーナーを構成するのに操作可能なポジショニング機構を含み、その結果：
（ｉ）印刷していない期間中の第１の状態において、前記インクリテーナーは、前記印刷インクがオリフィス表面のほぼ全てに接するように、印刷ヘッドに対して位置付けられ；及び
（ｉｉ）印刷中の第２の状態において、インクはオリフィス表面から基板まで噴射され得る
ことを特徴とする、印刷システム。
【請求項４２】
前記インクリテーナーは、印刷ヘッドからパージされた前記印刷インクで少なくとも部分的に満たされることを特徴とする、請求項４１に記載の印刷システム。
【請求項４３】
前記インクリテーナーは、オープンセルフォームを含み、前記オープンセルフォームが前記オリフィス表面を接触させる前に、前記オープンセルフォームは前記印刷インクで少なくとも部分的に満たされることを特徴とする、請求項４１に記載の印刷システム。
【請求項４４】
前記インクリテーナーはオープンセルフォームを含み、前記オープンセルフォームが前記オリフィス表面に接した後、前記オープンセルフォームは前記印刷インクで少なくとも部分的に満たされることを特徴とする、請求項４１に記載の印刷システム。
【請求項４５】
前記オープンセルフォームは、印刷ヘッドからパージされた前記印刷インクで少なくとも部分的に満たされることを特徴とする、請求項４４に記載の印刷システム。
【請求項４６】
前記インクリテーナーは、槽の少なくとも一部がオリフィス表面を囲み、その前記一部が印刷インクで少なくとも部分的に満たされる場合、前記印刷インクがオリフィス表面のほぼ全てに接触するように構成される前記槽を含むことを特徴とする、請求項４１に記載の印刷システム。
【請求項４７】
前記槽は、前記オリフィス表面を囲む前記槽の前に前記印刷インクで少なくとも部分的に満たされることを特徴とする、請求項４６に記載の印刷システム。
【請求項４８】
前記槽が前記オリフィス表面を囲んだ後、前記槽は前記印刷インクで少なくとも部分的に満たされることを特徴とする、請求項４６に記載の印刷システム。
【請求項４９】
前記槽は、印刷ヘッドからパージされた前記印刷インクで少なくとも部分的に満たされることを特徴とする、請求項４８に記載の印刷システム。
【請求項５０】
前記インクリテーナーは、前記印刷インクで繰り返し満たされることを特徴とする、請求項４１に記載の印刷システム。
【請求項５１】
前記インクリテーナーは、印刷ヘッドからのインクのパージにより繰り返し満たされることを特徴とする、請求項５０に記載の印刷システム。
【請求項５２】
前記印刷インクの少なくとも一部は前記インクリテーナーから除去され、除去したインクの少なくとも一部は、前記インクリテーナーを満たすのに利用可能とされることを特徴とする、請求項４１に記載の印刷システム。
【請求項５３】
印刷方法であって、該方法は、
（ａ）取付機構を提供する工程であって、前記取付機構はマスクのスリットに接するシーリング素子を位置付けるように構成され、前記シーリング素子はスリットのほぼ全てに少なくとも接触しており、該接触はマスクの底部にあり、且つ、マスクの上部側にある流体がスリットを通ってマスクの底部側に流れるのを防ぐのに十分なシール圧力を有し、前記上部側は、シーリング素子、及びナイトプレートとしての取付機構を構成するように底部側に対向している、工程；及び
（ｂ）ナイトプレートの付属構成に対応して、スリットに接触したシーリング素子を位置付ける工程
を含むことを特徴とする、方法。
【請求項５４】
前記シーリング素子は非多孔性であることを特徴とする、請求項５３に記載の方法。
【請求項５５】
前記シーリング素子は浸透不能な上部側表面を含むことを特徴とする、請求項５３に記載の方法。
【請求項５６】
前記シーリング素子はクローズドセルフォームであることを特徴とする、請求項５３に記載の方法。
【請求項５７】
前記シーリング素子はＨＴ−８００であることを特徴とする、請求項５３に記載の方法。
【請求項５８】
前記取付機構は、前記ナイトプレートが付属構成にある場合に、過剰圧力により前記シーリング素子が前記スリットに接触するのを防ぐため、前記ナイトプレートの一部として構成された１つ以上のストッパーを含むことを特徴とする、請求項５３に記載の方法。
【請求項５９】
前記シーリング圧力は、圧力の許容可能な予め定められた範囲から選択されることを特徴とする、請求項５３に記載の方法。
【請求項６０】
前記スリットに接触する前記シーリング素子を位置付ける工程は、
（ｃ）前記マスクに前記取付機構を接続する工程を含む
ことを特徴とする、請求項５３に記載の方法。
【請求項６１】
前記スリットに接触する前記シーリング素子を位置付ける工程は、
（ｃ）インクジェット印刷ヘッドに前記取付機構を接続する工程を含み、ここで、分離構成において、前記ナイトプレートは前記インクジェット印刷ヘッドから前記スリットを通るインクの噴射を可能にするように構成される
ことを特徴とする、請求項５３に記載の方法。
【請求項６２】
前記ナイトプレートは、前記付属構成にあり、前記印刷ヘッドと前記マスクの前記上部側の間の隙間は、前記インクにより前記印刷ヘッドの少なくともオリフィス表面を覆うための、十分な量の保護流体で満たされることを特徴とする、請求項６１に記載の方法。
【請求項６３】
前記保護流体は、前記印刷ヘッドからパージされたインクであることを特徴とする、請求項６２に記載の方法。
【請求項６４】
前記インクは、シーリング素子がマスクスリットを密閉する時間の少なくとも一部の間に、ヘッドを通って循環することを特徴とする、請求項６３に記載の方法。
【請求項６５】
前記インクは、マスクの上部側から最初に除去され、その後、インクはマスクへとパージされることを特徴とする、請求項６４に記載の方法。
【請求項６６】
前記隙間をインクで満たした後、インクは前記隙間から除去されることを特徴とする、請求項６２に記載の方法。
【請求項６７】
前記インクは真空システムによって前記隙間から除去されることを特徴とする、請求項６６に記載の方法。
【請求項６８】
前記インクが前記隙間から除去された後、前記ナイトプレートは前記分離構成へと移動することを特徴とする、請求項６６に記載の方法。
【請求項６９】
印刷システムであって、該システムは、
（ａ）印刷ヘッド、及びスリットを有する印刷マスクであって、該印刷マスクは、印刷中にインクが印刷ヘッドからスリットを通って基板へと噴射され得るように、印刷ヘッドに対して構成される、印刷マスク；
（ｂ）シーリング素子；及び
（ｃ）取付機構を含み、
ここで、印刷しない期間中の第１の状態において、前記取付機構は、前記シーリング素子が印刷マスクのスリットに接触するように印刷ヘッドに対して位置付けられ、前記シーリング素子は少なくとも前記スリットのほぼ全てに接触し、該接触は、前記マスクの底部側にあり、且つ、前記マスクの上部側にある流体が前記スリットを通って前記マスクの前記底部側へと流れるのを防ぐのに十分なシーリング圧力を有しており、前記上部側は、前記シーリング素子と、ナイトプレートとして前記取付機構を構成するように、前記底部側に対向し；及び印刷中の第２の状態において、前記取付機構は、インクが印刷ヘッドから基板へと噴射され得るように前記シーリング素子の位置を決めるように構成される、
ことを特徴とする、印刷システム。
【請求項７０】
前記シーリング素子は非多孔性であることを特徴とする、請求項６９に記載の印刷システム。
【請求項７１】
前記シーリング素子はクローズドセルフォームであることを特徴とする、請求項６９に記載の印刷システム。
【請求項７２】
前記シーリング素子は弾力があり圧縮可能であることを特徴とする、請求項６９に記載の印刷システム。
【請求項７３】
前記シーリング素子はＨＴ−８００の５ｍｍの厚さであることを特徴とする、請求項６９に記載の印刷システム。
【請求項７４】
（ｃ）前記シーリング素子が前記スリットに接している場合に、過剰圧力により前記シーリング素子が前記スリットに接触するのを防ぐための前記ナイトプレートの一部として構成された、１つ以上のストッパー
をさらに含むことを特徴とする、請求項６９に記載の印刷システム。
【請求項７５】
前記シーリング圧力は、圧力の許容可能な予め決定した範囲から選択されることを特徴とする、請求項６９に記載のシステム。
【請求項７６】
請求項６９に記載のシステムであって、該システムは、
（ｃ）インクジェット印刷ヘッドをさらに含み、
ここで、分離構成において、前記ナイトプレートは、前記インクジェット印刷ヘッドから前記スリットへのインクの噴射を可能にするように構成される
ことを特徴とする、印刷システム。
【請求項７７】
前記シーリング素子は前記スリットに接触して前記ナイトプレートの付属構成に対応し、前記印刷ヘッドと前記マスクの前記上部側との間の隙間は、前記インクで前記印刷ヘッドの少なくともオリフィス表面を覆うための十分な量の保護流体で満たされることを特徴とする、請求項７６に記載の印刷システム。
【請求項７８】
前記保護流体は、前記印刷ヘッドからパージされたインクであることを特徴とする、請求項７７に記載の印刷システム。
【請求項７９】
（ｄ）前記隙間から前記インクを除去するように構成されたインク除去システム
をさらに含むことを特徴とする、請求項７７に記載の印刷システム。
【請求項８０】
前記インク除去システムは真空システムであることを特徴とする、請求項７９に記載の印刷システム。
【請求項８１】
前記取付機構は、少なくとも２つのバネを含み、該バネの各々の第１の端部は前記シーリング素子の反対側部の上に取り付けられ、及び前記付属構成において、前記バネの各々の第２の端部は前記マスクに接続され、前記バネは、前記シーリング素子が前記シーリング圧力により前記スリットのほぼ全に接触するのを促進するように構成されることを特徴とする、請求項６９に記載の印刷システム。
【請求項８２】
前記取付機構は、
（ｉ）前記取付機構の第１の部分上に取り付けられた回転可能なクリップ；及び
（ｉｉ）前記取付機構の第２の部分上に取り付けられた少なくとも１つの取付サブ機構を含み、前記第１の部分と前記第２の部分はシーリング素子の反対側部の上にあり、
ここで、付属構成において、回転可能な前記クリップ及び少なくとも１つの前記取付サブ機構は前記マスクに接続され、分離構成において、少なくとも１つの取付サブ機構は前記マスクから分離し、ここで、前記取付サブ機構は、前記シーリング素子が前記シーリング圧力により前記スリットのほぼ全てに接触するのを促進するように構成される
ことを特徴とする、請求項６９に記載の印刷システム。
【請求項８３】
少なくとも１つの前記取付サブ機構はバネを含むことを特徴とする、請求項８２に記載の印刷システム。
【請求項８４】
少なくとも１つの前記取付サブ機構はラッチを含むことを特徴とする、請求項８２に記載の印刷システム。
【請求項８５】
分離構成における回転可能な前記クリップは、前記マスクに接続されることを特徴とする、請求項８２に記載の印刷システム。
【請求項８６】
分離構成における回転可能な前記クリップは、前記マスクから分離されることを特徴とする、請求項８２に記載の印刷システム。
【請求項８７】
印刷システムであって、該システムは、
（ａ）スリットを備えたマスクを含むインクジェット印刷ヘッド；
（ｂ）シーリング素子；及び
（ｃ）取付機構を含み、
前記取付機構は、前記マスクの前記スリットに接触する前記シーリング素子を位置付けるように構成され、前記シーリング素子は、少なくとも前記スリットのほぼ全てに接触し、該接触は前記マスクの底部側にあり、且つ、前記マスクの上部側の流体がスリットを通ってマスクの底部側まで流れるのを防ぐのに十分なシーリング圧力を有し、前記上部側は、前記シーリング素子、及びナイトプレートとして前記取付機構を構成するように、前記底部側に対向している
ことを特徴とする、印刷システム。
【発明の詳細な説明】
【技術分野】
【０００１】
〈関連出願への相互参照〉
本出願は、本発明者による２０１０年１０月１８日出願の米国仮特許出願（ＰＰＡ）第６１／３９３９５０号の利益を請求し、それは引用によって組み込まれる。
【０００２】
〈技術分野〉
本実施形態は一般に印刷分野に関し、特に、オリフィスプレートをクリーニングし、堆積物の蓄積を防ぐことによる、インクジェットヘッドの維持用の印刷システムに関係する。
【背景技術】
【０００３】
インクジェット印刷ヘッド（大抵は単にヘッドと呼ばれる）は、ノズル上の蓄積（固形堆積物）を除去し、気泡を除去し、及び印刷品質を維持するために、印刷ノズルの定期的なクリーニングを必要とすることが、印刷分野において知られている。印刷ヘッドのクリーニングはインクジェット印刷プロセスの重要な一部であり、例えば、幾つかの工業環境において、印刷ヘッドは、２分ごとに頻繁にクリーニングされる。クリーニングの頻度は、印刷ヘッドが使用されている特定の適用に依存する。簡単に言うと、印刷又はマークが置かれる、基板としても知られる、紙又は他の媒体に接近して保持されたオリフィスプレート中の対応する小オリフィスを通って、複数のノズルから少量のインクを出すことにより、インクジェットプリンタが作動する。媒体の特定の位置に対する多くの選択されたノズルからのインクの小滴の排出が、所望の特徴又は画像の一部の産出をもたらすような、オリフィスプレートにおける方法で、オリフィスが整えられる。インクの小滴の別の排出後、ノズルに対する媒体の制御された再配置は、所望の特徴又は画像のより多くのセグメントを作成する。
【０００４】
オリフィスプレートは、一般に産業においても知られるように、印刷ヘッドの印字面に位置付けられ、印刷するためノズルへのアクセスを提供し、一方で、他の特徴の中に、印刷ヘッドを保護する。オリフィスプレートの外部又は下方の表面はオリフィス表面と呼ばれる。典型的にノズルは、ノズルを囲むセルを有する各ノズルの噴射端部を備えた「セル」を介して、オリフィス表面と接続することに注意する。オリフィス表面へのセルの開口はオリフィスを提供する。各ノズルから噴射したインクは、印刷のためオリフィスを出る。
【０００５】
定期的なクリーニング中、及びパージング後、好ましくはオリフィス表面は、蓄積を除去し、液体をパージし、及び（オリフィスを介して）ノズルから印刷液の適切な噴射を可能にするためクリーニングされ、それはワイピングとして知られる。オリフィス表面の滑らかさ及び湿り気の無い（ｎｏｎ−ｗｅｔｔｉｎｇ）（抗湿り気（ａｎｔｉ−ｗｅｔｔｉｎｇ））特徴を維持するために、ワイピングを行う際には気をつけねばならない。
【０００６】
オリフィスプレートに接触することの無いワイピングの１つの従来技術は、真空ワイピングであり、ここで、バキュームヘッドはオリフィスプレートを横切って移動する。バキュームヘッドはオリフィスプレートに接触しないが、サクションとしても知られているバキュームが、オリフィスプレートからパージされた液体を除去することを可能にする程十分に接近している。バキュームヘッドがオリフィスプレートに接触しないため、オリフィスプレートの低いクリーニング効果をもたらす、バキュームヘッドの全ての側部からの（単にオリフィスプレートの方向からではない）サクションが存在する。従来のバキュームワイピングの欠点は、コスト、印刷速度、信頼度、及びワイピングの品質を含む。
【０００７】
ワイピングの別の課題（ｃｈａｌｌｅｎｇｅ）は、冷却マスクと呼ばれるマスクが、印刷ヘッドと共にいつ使用されるかである。マスクは印刷ヘッドを囲み、印刷ヘッドを保護して絶縁シールドとして機能し、印刷ヘッドと基板との間の熱交換を最小限にする。保護は、媒体（基板）からの、及び印刷トレー上の対象との物理的な衝突からの過度の熱（又は冷気）から、印刷ヘッドを保護することを含む。例は、光起電力ウェーハ上の印刷メタライゼーション（ｐｒｉｎｔｉｎｇ  ｍｅｔａｌｌｉｚａｔｉｏｎ）であり、ここでウェーハは印刷する前に摂氏２２０度まで暖められる。少なくともマスクの一部はノズルと媒体の間にある。マスクは、１つ以上のノズルに対応する１つ以上のスリットを含む。スリットは、ノズルから噴射したインクが印字媒体までマスク（対応するスリットを介して）を通り抜けることを可能にするように位置付けられ、大きさを合わせられる。典型的に及び好ましくは、オリフィスプレート上のノズルの列は、スリットの縁部から小量のみをオフセット印刷される（ｏｆｆｓｅｔ）。ノズルが小量のみをオフセット印刷されるため、ノズルは、少なくとも２つの目的を促進するためにスリットの縁部に接近して位置する。第１の目的は、基板から出現する煙からノズルを保護することである。遮蔽のこのコンテキストにおいて、スリットのサイズと比較して小量であって、典型的なオフセット印刷はスリットの幅のおよそ１０％以下である。例えば、スリット幅が１ｍｍである場合、オフセット印刷は１００μｍ以下でもよい。第２の目的は、パージ中にマスクの下で容易なインク吸引を促進することである。より容易なインク吸引のコンテキストにおいて、オリフィス直径のサイズと比較して、マスク床とオリフィスプレートとの間の隙間の大きさ、オリフィスの湿り気の無い特徴の品質、及び分配された液体の表面張力は、小量である。例えば、２０μｍのオリフィス直径、１５０μｍの間隔、適度な湿り気特徴、及び適度なインク表面張力と共に、１５０μｍ以下のオフセット印刷は効果的であることを示した。
【０００８】
マスクの使用は、オリフィスプレートをワイプするための真空クリーニングを使用する効果をさらに減少する。２０１１年５月２日出願のＷＩＰＯ出願ＩＢ１１／０５１９３４を参照し、それは、マスクに関する追加情報について米国仮特許出願第６１／３３０３５１号からの優先権を請求する。
【０００９】
印刷に使用されたインクが揮発性の液体である場合、ノズルのチップのインクは、インクの一部を失い、インクの残りの成分は、ノズルチップにて半固体のスキンを形成する。半固体のスキン、又は固体の堆積物の蓄積は、ノズルからのインクの噴射に干渉することができ、品質を下げ、又は１つ以上のノズルからのインクの噴射を不能にする。ノズルチップがオリフィスプレート中のオリフィスに揃えられているため、堆積物の蓄積は、オリフィス及び／又はオリフィスプレート上にあってもよい。この文献の内容において、ノズル、オリフィス、及び／又はオリフィスプレート上の蓄積全ては、堆積物の蓄積の同じ問題を示す。堆積物が連続印刷の間にさえも徐々に蓄積することができるため、印刷ヘッド／オリフィスプレートのワイピングは、適時の基準で、又は多くの印刷通路に関して行われるべきである。堆積物の蓄積は、長期間の印刷の休止、又は停止が行われた時の特定の問題である。長期間印刷を行わない期間中、ノズル上に、又はノズル中に残るインクの液体の一部は蒸発し、堆積物をあとに残す。印刷を再開することを望む場合、時間は、ノズルから堆積物をクリー二ングするために印刷ヘッドをワイプするのに最初に費やされなければならない。
【００１０】
故に、従来技術にわたって効果が増加し、堆積物の蓄積を防ぐ、オリフィスプレートをクリーニングするためのシステムの必要性が存在する。
【発明の概要】
【００１１】
本実施形態の教示に従って、以下の工程を含む印刷方法が提供される：成形ワイパ（ｓｈａｐｅｄ  ｗｉｐｅｒ）のハンドリング端部の１つ以上のショルダーがスリットの各１以上の縁部と接触し、チップがオリフィス表面に予め決定した圧力を加えるように、マスクのスリットへ成形ワイパのチップを挿入する工程；及びチップがオリフィス表面をワイプするように、オリフィス表面に対して成形ワイパを移動させる工程。
【００１２】
随意の実施形態において、チップを挿入する工程は、スリットの側部上の幅広いセクションを介してチップを挿入する工程を含み、幅広いセクションは、成形ワイパのチップを受けて、且つスリットへとチップを誘導するように構成される。別の随意の実施形態において、チップを挿入する工程は、スリットの側部を介してチップを挿入する工程を含む。別の随意の実施形態において、チップを挿入する工程は、スリットの底部からチップを挿入する工程を含む。別の随意の実施形態において、成形ワイパを移動させる工程は、１つ以上のショルダーとスリットの各１つ以上の縁部の間の接触を維持する間に、スリットに沿って成形ワイパを移動させる工程を含む。別の随意の実施形態において、成形ワイパを移動させる工程は、チップの１以上の側部と、スリットの各１以上の縁部の間の接触を維持する間に、スリットに沿って成形ワイパを移動させる工程を含む。
【００１３】
随意の実施形態において、ワイピングのない期間中、成形ワイパの少なくともチップは、クリーニング液、及び印刷液からなる群から選択される流体に保管される。
【００１４】
別の随意の実施形態において、チップは、オープンセルフォームで作られている。
【００１５】
随意の実施形態において、チップは、チップ幅とチップ高を有している；及び、ハンドリング端部は、チップ幅より大きな側部幅を備えた側部を有し、ここでチップは、側部上の１つ以上のショルダーを備えたハンドリング端部を構成するように側部に位置付けられ、１つ以上のショルダーのショルダー幅は、側部幅とチップ幅の間の差である。別の随意の実施形態において、チップは、２つのショルダーを備えたハンドリング端部を構成するように側部に位置付けられ、２つのショルダーの各々はチップの反対側部上にある。別の随意の実施形態において、２つのショルダーの各々は、ほぼ同じ幅である。別の随意の実施形態において、スリットは、チップのチップ幅とほぼ等しいスリット幅を有している。別の随意の実施形態において、オリフィス表面は、オリフィス直径を有する１つ以上のオリフィスを有し、チップのチップ幅はオリフィス直径と少なくとも同じくらい広く、それにより、１つ以上のオリフィスが成形ワイパのチップの１回の引き抜き（ｏｎｅ  ｐａｓｓ）によってワイプされることを可能にする。別の随意の実施形態において、予め決定した圧力は、圧力の許容可能な予め決定した範囲から選択される。別の随意の実施形態において、前記オリフィス表面は、インクジェット印刷ヘッドである。
【００１６】
本実施形態の教示に従って、以下のものを含む印刷システムが提供される：チップ幅とチップ高を有するチップ；及び、チップ幅より大きな側部幅を備えた側部を有するハンドリング端部；ここで、チップは、側部上に１つ以上のショルダーを備えたハンドリング端部を構成するように側部に位置付けられ、１つ以上のショルダーのショルダー幅は側部幅とチップ幅の間の差であり；及び、１つ以上のショルダーが、与えられたシールド深さを備えたスリットの１つ以上の縁部に対して押される場合、チップ高がシールド深さとほぼ等しくなるように、チップ高が構成され、ここで、シールド深さは、スリットの１つ以上の縁部とオリフィス表面の間の距離である。
【００１７】
随意の実施形態において、チップは、２つのショルダーを備えたハンドリング端部を構成するように側部に位置付けられ、２つのショルダーの各々は、チップの反対側部上にある。別の随意の実施形態において、２つのショルダーの各々は、ほぼ同じ幅である。別の随意の実施形態において、１つ以上のショルダーが、与えられたシールド深さを備えたスリットの１つ以上の縁部に対して押される場合、チップは、オリフィス表面に予め決定した圧力を加える。別の随意の実施形態において、予め決定した圧力は、圧力の許容可能な予め決定した範囲から選択される。
【００１８】
別の随意の実施形態において、印刷システムは、スリットを含む印刷マスクを含み、スリットは、チップ幅にほぼ等しいスリット幅を有している。別の随意の実施形態において、スリットは、スリットの少なくとも１つの対応する側部上に１つ以上の幅広いセクションを含み、幅広いセクションは、成形ワイパのチップを受け、チップをスリットに誘導するように構成される。別の随意の実施形態において、スリット幅は、０．４ミリメートル（ｍｍ）と２ｍｍの間である。別の随意の実施形態において、チップ幅は、スリット幅に等しい又はそれよりも広く、及びスリット幅の１０％を加えたスリット幅［（チップ幅＝スリット幅＋（０〜１０％）］に等しい又はそれよりも狭い。別の随意の実施形態において、オリフィス表面からマスクの底部までのシールド深さは、０．４ｍｍと２ｍｍの間にあり（シールド深さ＝０．４乃至２ｍｍ）、１つ以上のショルダーからチップの遠心端までのチップ高は、最初の高さの５％乃至３０％を加えたシールド深さである（チップ高＝シールド深さ＋５％乃至３０％）。
【００１９】
随意の実施形態において、オリフィス表面は、オリフィス直径を有する１つ以上のオリフィスを有し、チップ幅はオリフィス直径と少なくとも同じくらい広く、それにより、１つ以上のオリフィスが成形ワイパのチップの１回の引き抜きによってワイプされることを可能にする。
【００２０】
随意の実施形態において、チップはオープンセルフォームで作られている。他の実施形態において、チップはポリオレフィンで作られている。
【００２１】
別の随意の実施形態において、オリフィス表面はインクジェット印刷ヘッドである。
【００２２】
本実施形態の教示に従って、以下の工程を含む、印刷しない期間中に印刷ヘッドを保管する方法が提供される：印刷インクが、オリフィス表面のほぼ全てに接触するように、印刷ヘッドに対してインクリテーナーを位置付ける工程であって、印刷インクが少なくともインクリテーナーの少なくとも一部を少なくとも部分的に満たす、工程：及び、少なくとも部分的に、インクリテーナーを印刷インクで満たす工程。
【００２３】
随意の実施形態において、方法は、印刷中に、インクがオリフィス表面から基板まで噴射され得るように、印刷ヘッドに対してインクリテーナーを位置付ける工程を含む。
【００２４】
随意の実施形態において、インクリテーナーは、インク槽の少なくとも一部がオリフィス表面を囲み、前記一部が印刷インクで少なくとも部分的に満たされる時、印刷インクがオリフィス表面のほぼ全てに接触するように構成されるインク槽を含む。
【００２５】
別の随意の実施形態において、槽は、印刷ヘッドからパージされた印刷インクで少なくとも部分的に満たされる。別の随意の実施形態において、インクリテーナーは、オープンセルフォームを含み、オープンセルフォームは、印刷インクで少なくとも部分的に満たされ、その後満たされたオープンセルフォームは、オリフィス表面に接して位置付けられる。別の随意の実施形態において、インクリテーナーはオープンセルフォームを含み、オープンセルフォームはオリフィス表面に接して位置付けられ、その後オープンセルフォームは印刷インクで少なくとも部分的に満たされる。別の随意の実施形態において、オープンセルフォームを少なくとも部分的に満たすために、印刷インクは印刷ヘッドからパージされる。
【００２６】
随意の実施形態において、インクリテーナーは、印刷インクで繰り返し満たされる。別の随意の実施形態において、インクリテーナーは、印刷ヘッドからのインクのパージにより繰り返し満たされる。別の随意の実施形態において、印刷インクの少なくとも一部はインクリテーナーから除去され、除去されたインクの少なくとも一部は、インクリテーナーを満たすのに利用可能とされる。別の随意の実施形態において、印刷インクの少なくとも一部はインクリテーナーから除去され、新しいインクはインクリテーナーを満たすのに利用可能とされる。
【００２７】
本実施形態の教示に従って、オリフィス表面を備えた印刷ヘッドを含む印刷システムが提供され、該システムは：印刷インクで少なくとも部分的に満たされたインクリテーナーの少なくとも一部で構成されたインクリテーナー；及び印刷ヘッドに対するインクリテーナーを構成するのに操作可能なポジショニング機構を含み、その結果：印刷していない期間中の第１の状態において、インクリテーナーは、印刷インクがオリフィス表面のほぼ全てに接するように、印刷ヘッドに対して位置付けられ；及び、印刷中の第２の状態において、インクはオリフィス表面から基板まで噴射され得る。
【００２８】
随意の実施形態において、インクリテーナーは、印刷ヘッドからパージされた印刷インクで少なくとも部分的に満たされる。
【００２９】
別の随意の実施形態において、インクリテーナーは、オープンセルフォームを含み、オープンセルフォームがオリフィス表面を接触させる前に、オープンセルフォームは印刷インクで少なくとも部分的に満たされる。別の随意の実施形態において、インクリテーナーはオープンセルフォームを含み、オープンセルフォームがオリフィス表面に接した後、オープンセルフォームは印刷インクで少なくとも部分的に満たされる。別の随意の実施形態において、オープンセルフォームは、印刷ヘッドからパージされた印刷インクで少なくとも部分的に満たされる。
【００３０】
随意の実施形態において、インクリテーナーは、槽の少なくとも一部がオリフィス表面を囲み、その一部が印刷インクで少なくとも部分的に満たされる場合、印刷インクがオリフィス表面のほぼ全てに接触するように構成される槽を含む。別の随意の実施形態において、槽は、オリフィス表面を囲む槽の前に印刷インクで少なくとも部分的に満たされる。別の随意の実施形態において、槽がオリフィス表面を囲んだ後、槽は印刷インクで少なくとも部分的に満たされる。別の随意の実施形態において、槽は、印刷ヘッドからパージされた印刷インクで少なくとも部分的に満たされる。
【００３１】
随意の実施形態において、インクリテーナーは、印刷インクで繰り返し満たされる。別の随意の実施形態において、インクリテーナーは、印刷ヘッドからのインクのパージにより繰り返し満たされる。別の随意の実施形態において、印刷インクの少なくとも一部はインクリテーナーから除去され、除去したインクの少なくとも一部は、インクリテーナーを満たすのに利用可能とされる。
【００３２】
本実施形態の教示に従って、以下の工程を含む印刷方法が提供される：取付機構を提供する工程であって、前記取付機構はマスクのスリットに接するシーリング素子を位置付けるように構成され、前記シーリング素子はスリットのほぼ全てに少なくとも接触しており、該接触はマスクの底部にあり、且つ、マスクの上部側にある流体がスリットを通ってマスクの底部側に流れるのを防ぐのに十分なシーリング圧力を有し、前記上部側は、シーリング素子、及びナイトプレートとしての取付機構を構成するように底部側に対向している、工程；及び、ナイトプレートの付属構成に対応して、スリットに接触したシーリング素子を位置付ける工程。
【００３３】
随意の実施形態において、シーリング素子は非多孔性である。別の随意の実施形態において、シーリング素子はクローズドセルフォームである。別の随意の実施形態において、シーリング素子はＨＴ−８００である。
【００３４】
随意の実施形態において、取付機構は、ナイトプレートが付属構成にある場合に、過剰圧力によりシーリング素子がスリットに接触するのを防ぐため、ナイトプレートの一部として構成された１つ以上のストッパーを含む。
【００３５】
随意の実施形態において、シーリング圧力は、圧力の許容可能な予め定められた範囲から選択される。別の随意の実施形態において、スリットに接触するシーリング素子を位置付ける工程は、マスクに取付機構を接続する工程を含む。
【００３６】
随意の実施形態において、スリットに接触するシーリング素子を位置付ける工程は、インクジェット印刷ヘッドに取付機構を接続する工程を含み、ここで、分離構成において、ナイトプレートはインクジェット印刷ヘッドからスリットを通るインクの噴射を可能にするように構成される。
【００３７】
別の随意の実施形態において、ナイトプレートは、付属構成にあり、印刷ヘッドとマスクの上部側の間の隙間は、インクにより印刷ヘッドの少なくともオリフィス表面を覆うための、十分な量の保護流体で満たされる。
【００３８】
別の随意の実施形態において、保護流体は、印刷ヘッドからパージされたインクである。別の随意の実施形態において、隙間をインクで満たした後、インクは隙間から除去される。別の随意の実施形態において、インクは、シーリング素子がマスクスリットを密閉する時間の少なくとも一部の間に、ヘッドを通って循環する。別の随意の実施形態において、インクは、マスクの上部側から最初に除去され、その後、インクはマスクへとパージされる。別の随意の実施形態において、インクは真空システムによって隙間から除去される。別の随意の実施形態において、インクが隙間から除去された後、ナイトプレートは分離構成へと移動する。
【００３９】
本実施形態の教示に従って、以下のものを含む印刷システムが提供される：印刷ヘッド、及びスリットを有する印刷マスクであって、該印刷マスクは、印刷中にインクが印刷ヘッドからスリットを通って基板へと噴射され得るように、印刷ヘッドに対して構成され；シーリング素子；及び取付機構であって、ここで、印刷しない期間中の第１の状態において、取付機構は、シーリング素子が印刷マスクのスリットに接触するように印刷ヘッドに対して位置付けられ、前記シーリング素子は少なくともスリットのほぼ全てに接触し、該接触は、マスクの底部側にあり、且つ、マスクの上部側にある流体がスリットを通ってマスクの底部側へと流れるのを防ぐのに十分なシーリング圧力を有しており、前記上部側は、シーリング素子と、ナイトプレートとして取付機構を構成するように、底部側に対向し；及び印刷中の第２の状態において、取付機構は、インクが印刷ヘッドから基板へと噴射され得るようにシーリング素子の位置を決めるように構成される。
【００４０】
随意の実施形態において、シーリング素子は非多孔性である。別の随意の実施形態において、シーリング素子は浸透可能でない上部側表面を含む。別の随意の実施形態において、シーリング素子はクローズドセルフォームである。別の随意の実施形態において、シーリング素子は弾力があり圧縮可能である。別の随意の実施形態において、シーリング素子はＨＴ−８００の５ｍｍの厚さである。
【００４１】
随意の実施形態において、システムは、シーリング素子がスリットに接している場合に、過剰圧力によりシーリング素子がスリットに接触するのを防ぐためのナイトプレートの一部として構成された、１つ以上のストッパーを、さらに含む。別の随意の実施形態において、シーリング圧力は、圧力の許容可能な予め決定した範囲から選択される。
【００４２】
随意の実施形態において、システムはインクジェット印刷ヘッドをさらに含み、ここで、分離構成において、ナイトプレートは、インクジェット印刷ヘッドからスリットへのインクの噴射を可能にするように構成される。
【００４３】
随意の実施形態において、シーリング素子はスリットに接触してナイトプレートの付属構成に対応し、印刷ヘッドとマスクの上部側との間の隙間は、インクで印刷ヘッドの少なくともオリフィス表面を覆うための十分な量の保護流体で満たされる。別の随意の実施形態において、保護流体は、印刷ヘッドからパージされたインクである。
【００４４】
別の随意の実施形態において、システムは、隙間からインクを除去するように構成されたインク除去システムを含む。別の随意の実施形態において、インク除去システムは真空システムである。
【００４５】
随意の実施形態において、取付機構は、少なくとも２つのバネを含み、該バネの各々の第１の端部はシーリング素子の反対側部の上に取り付けられ、及び付属構成において、該バネの各々の第２の端部はマスクに接続され、前記バネは、シーリング素子がシーリング圧力によりスリットのほぼ全てに接触するのを促進するように構成される。別の随意の実施形態において、取付機構は、取付機構の第１の部分上に取り付けられた回転可能なクリップ；
及び、取付機構の第２の部分上に取り付けられた少なくとも１つの取付サブ機構を含み、前記第１の部分と前記第２の部分はシーリング素子の反対側部の上にあり、ここで、付属構成において、回転可能なクリップ及び少なくとも１つの取付サブ機構はマスクに接続され、分離構成において、少なくとも１つの取付サブ機構はマスクから分離し、ここで、取付サブ機構は、シーリング素子がシーリング圧力によりスリットのほぼ全てに接触するのを促進するように構成される。
【００４６】
別の随意の実施形態において、少なくとも１つの取付サブ機構はバネを含む。別の随意の実施形態において、少なくとも１つの取付サブ機構はラッチを含む。別の随意の実施形態において、分離構成における回転可能なクリップは、マスクに接続される。別の随意の実施形態において、分離構成における回転可能なクリップは、マスクから分離される。
【００４７】
本実施形態の教示に従って、以下のものを含む印刷システムが提供される：スリットを備えたマスクを含むインクジェット印刷ヘッド；シーリング素子；及び、取付機構であって、該取付機構は、マスクのスリットに接触するシーリング素子を位置付けるように構成され、該シーリング素子は、少なくともスリットのほぼ全てに接触し、該接触はマスクの底部側にあり、且つ、マスクの上部側の流体がスリットを通ってマスクの底部側まで流れるのを防ぐのに十分なシーリング圧力を有し、前記上部側は、シーリング素子、及びナイトプレートとして取付機構を構成するように、底部側に対向している、取付機構。
【図面の簡単な説明】
【００４８】
本実施形態は、ほんの一例として、添付の図面に関して本明細書に記載される：
【図１】図１のＡは、印刷マスクを含む印刷システムの第１の図である。図１のＢは、印刷マスクを含む印刷システムの第２の図である。図１のＣは、印刷マスクを含む印刷システムの第３の図である。図１のＤは、２列のヘッドの略図である。
【図２】図２のＡは、成形ワイパの側面図のスケッチである。図２のＢは、１つのショルダーを備えた、成形ワイパの側面図のスケッチである。図２のＣは、角度のあるショルダーを備えた、成形ワイパの側面図のスケッチである。
【図３】成形ワイパの正面図のスケッチである。
【図４】図４のＡは、成形ワイパを備えた印刷システムの側面図である。図４のＢは、成形ワイパを備えた印刷システムの正面図である。
【図５】図５のＡは、短いスリットを備えたマスク（１４）の略図である。図５のＢは、長いスリットを備えたマスクの略図である。
【図６】図６のＡは、短いスリットを介するワイピングである。図６のＢは、長いスリットを介するワイピングである。
【図７Ａ】図７Ａは、成形ワイパのための保持具の側面図である。
【図７Ｂ】図７Ｂは、成形ワイパのための保持具の正面図である。
【図８】図８のＡは、複数のスリットを備えたマスクの略図である。図８のＢは、成形ワイパのための複数の保持具の略図である。
【図９Ａ】図９Ａは、槽を備えた成形ワイパ保持具の略図である。
【図９Ｂ】図９Ｂは、流体槽においてチップを備えた成形ワイパの略図である。
【図１０】槽の交換可能なユニットを備えた成形ワイパの略図である。
【図１１Ａ】図１１Ａは、ナイトプレートの側面図である。
【図１１Ｂ】図１１Ｂは、ナイトプレートの平面図である。
【図１２】シーリング素子を含むナイトプレートを備えた印刷システムである。
【図１３】ナイトプレート及び保護流体を備えた印刷ヘッドの略図である。
【図１４】パージされた液体を取り除くための機構の略図である。
【図１５】バネ機構の接続部分の略図である。
【図１６】図１６のＡは、付属構成における、回転可能なクリップ及びバネ取付機構の略図である。図１６のＢは、付属構成における、回転可能なクリップ及びバネ取付の略図である。
【図１７】図１７のＡは、取付構成における、回転可能なクリップ及びラッチ取付の略図である。図１７のＢは、分離構成における、回転可能なクリップ及びバネ取付の略図である。
【図１８】インクリテーナーを備えた印刷ヘッドの略図である。
【図１９】インク槽及び循環機構を備えたインクリテーナーの略図である。
【図２０】印刷システム用の制御サブシステムの略図である。
【発明を実施するための形態】
【００４９】
本実施形態に従ったシステムの原理及び動作は、図面及び添付の説明を参照して、より良く理解され得る。本発明は、オリフィスプレートをクリーニングし、堆積物の蓄積を防ぐことによる、インクジェットヘッド維持のための印刷システムである。システムは、従来技術にわたる効果を増加させるとともに、印刷ヘッドのクリーニング、特に、オリフィスプレートのクリーニングを促進し、印刷しない時間中に堆積物の蓄積を防ぐ。
【００５０】
オリフィスプレートをクリーニングする革新的な方法は、印刷マスクのスリットに成形ワイパのチップを挿入する工程を含み、その結果、成形ワイパのハンドリング端部の１つ以上のショルダーが、スリットのそれぞれ１つ以上の縁部に接触する。成形ワイパのショルダーは、チップがオリフィス表面に予め決定した圧力を加えるのを促進する。成形ワイパがオリフィス表面に対して移動する場合、チップはオリフィス表面をワイプする。
【００５１】
印刷していない長期間に堆積物の蓄積を防ぐ革新的な方法は、ノズルからの揮発性の液体の蒸発を回避する保護液体に、印刷ヘッドの少なくともオリフィスプレートを置き、それにより印刷ヘッドの堆積物の蓄積を防ぐ工程を含む。印刷マスクが使用されている場合において、革新的な「ナイトプレート」は、スリットを密閉するために使用され得る。ナイトプレートを使用して十分にスリットを密閉した後、印刷ヘッドとマスクの間の隙間を満たすため、インクは、印刷ヘッドからパージされ、それによりパージされたインクで少なくともオリフィスプレートを覆う。パージされたインクは、保護流体として作用し、オリフィス表面からのインクの蒸発を防ぎ、それにより印刷ヘッドの堆積物の蓄積を防ぐ。
【００５２】
この遂行は、インクジェット印刷ヘッドに関して記載されるが、記載されたシステム及び方法は、ノズルディスペンサなどの、液体噴射機構の液体噴射ノズルに一般に適用可能である。この文書の内容において、用語「印刷液体」及び「インク」は一般に、印刷に使用される材料を指し、限定されないが、均質及び非均質の材料、例えば、印刷プロセスを介して置かれる金属粒子を含有するキャリア液を含む。
【００５３】
図面を参照すると、図１のＡは印刷マスクを含む印刷システムの第１の図、図１のＢはその第２の図、及び図３のＣはその第３の図である。便宜上、図１のＡ、図１のＢ、及び図１のＣは、任意に正面図、側面図、及び底面図とそれぞれ称される。図は縮尺して描かれていないことに注意する。インクジェット印刷ヘッド（１００）は典型的に、オリフィスプレート（１０２）を含む。インクは、印刷ヘッド中の複数のノズルから印刷される。インクは、印刷の基板（図示せず）への矢印（１０８）の方向に印刷される。このシステムは１つ以上のノズルのために使用され得るが、この分野における正常な使用法は、複数のノズルを備えていることに注意する。便宜上、（１０８）によって示される、印刷ヘッドから印刷基板へのインクの方向は、下方として表わされる。典型的に、オリフィスプレート（１０２）の下方の表面は、オリフィス表面（図示せず）を提供する。オリフィスプレートが使用されていない遂行において、ノズルを含有する印刷ヘッドの表面はオリフィス表面を提供する。
【００５４】
図１のＡは、１列のノズルからのインクの印刷方向を示す複数の矢印（１０８）を示し、一方で図１のＢの側面図は、１列だけが目に見える側面図からのたった１本の矢印を示す。印刷マスク（１０４）の位置付けはまた、この文書の内容においてマスクとして称され、オリフィスプレート（１０２）に揃えられ、オリフィスプレートと印刷マスクの間に隙間（１１０）を作成する。印刷ヘッドのノズルは、印刷を促進するため、印刷マスク（１０４）中のスリット（１０６）に揃えられる。スリット（１０６）は、印刷ヘッドの最大の保護を可能にするため、出来るだけ狭いのが好ましい。深さとも称される高さ（１１６）は一般に、印刷マスクの厚みとほぼ同じである。この文書の内容において「シールド深さ」（１１８）として称される距離（１１８）は、オリフィスプレート（１０２）の表面とマスク（１０４）の底部の間の距離である。
【００５５】
印刷システムへの言及における便宜さ及び明瞭さのため、「上／下」と典型的に称される方向はＺ軸によって示され、左−右（ｓｉｄｅ−ｔｏ−ｓｉｄｅ）はＸ軸と示され、及び前／後はＹ軸と示される。
【００５６】
図１のＣは、インクが印刷される方向からの、印刷マスクを含む印刷システムの第３の図である。参照のため、スリット（１０６）は、スリット幅（１１２）及びスリット長さ（１１４）を有する。印刷の方向は、スキャン方向として印刷業界において知られている。スキャン方向に平行な方向は、インスキャン（ｉｎ−ｓｃａｎ）として知られ、スキャン方向に垂直な方向は、クロススキャン（ｃｒｏｓｓ−ｓｃａｎ）として知られている。スキャン（インスキャン）の方向に細い線を印刷する適用において、ノズル（１２０）の列によって示されるように、印刷ヘッドは１つのスリットごとにノズルの単列を有する。ノズル（１２０）及びスリット（１０６）の列の両方は、インスキャンで整えられる。スキャン方向は、Ｘ軸として示されるように、印刷ヘッドが、印刷が行われている基板に対して移動する方向である。この文書の内容の明瞭さに関して、スリット（１０６）の「側部」は、スリットの最も遠い左部分及び右部分（Ｘ軸上）として定義され、一般に、前／後（Ｙ軸方向）を通る。スリット（１０６）の「縁部」は、最も遠い前部分及び後部分（Ｙ軸上）として定義され、一般に左／右（Ｘ軸方向）を通る。
【００５７】
図１のＤを参照すると、２列のヘッドの略図が示される。当業者にとって明白であるように、印刷ヘッドは、１つのヘッド、又は１つのスリット当たり１列のノズルより多くを含み得、オリフィスプレート、マスク、及び他の印刷システム構成部品における、一列の典型的なヘッドとの違いに対応する。本発明の適用可能性を制限することなく、我々は、クロススキャン方向における２列のヘッドに言及する。印刷ヘッドの複数のノズルは、この記載における明瞭さのための任意の指示子である、指示子第１列及び第２列を備えた、共にノズル（１２２）の第１列、及びノズル（１２４）の第２列として示される。現在の例の２列のヘッドにおいて、ノズル及び対応するスリットの列は、方向づけられたクロススキャンである。この文書の明瞭さのため、記載は一般に、インスキャンの１列のノズル（Ｘ軸）を指す。この記載に基づき、当業者は、１列、２列、及び複数列のヘッドを含むがこれらに限定されない様々な印刷ヘッドに、本発明を適用することができる。
【００５８】
印刷マスク（１０４）は、オリフィスプレート（１０２）に揃えられる。この文書の内容において、マスクは、オリフィスプレート（１０２）を部分的にカバーし、ノズルから印刷領域への印刷を促進するための開口部を有しているプレートを指す。オリフィスプレート（１０２）は一般に、ノズルからの印刷を促進するための印刷プロセスの間に使用され、印刷ヘッド（１００）及びノズルを保護することができる。通常の動作において、印刷マスク（１０４）中のスリット（１０６）は、印刷を促進するのに十分に広く、印刷ノズルと十分に正確に揃えられる。インクジェット印刷ヘッド（１００）の場合において、印刷は、ノズル（図示せず）からのインクの小滴を噴射させる工程を含む。噴射は、適切な持続時間中に印刷ヘッドに適切な圧力を加える工程、印刷ヘッドにノズルからの印刷液（インク）の小滴を、オリフィスプレート（１０２）の開口部（図示せず）を通って、隙間（１１０）をわたり、印刷マスク（１０４）中のスリット（１０６）を通って、印刷基板（図示せず）の上に放出させる工程を含む。１つの制限しない例において、２０μｍ（マイクロメーター）の広いノズルが、１００と３００μｍの間のスリット幅（１１２）を有するスリットを通って印刷する。
【００５９】
同様に、ノズルが印刷面にできるだけ接近するように、マスク（１０４）は、必要な機械的強度及び熱伝導を提供するのに十分な厚さ（寸法（１１６））、好ましくは可能な限りの薄さを必要とする。
【００６０】
〈詳細な記載−第１の実施形態−図１乃至１０〉
図２のＡ（成形ワイパの側面図のスケッチ）を参照すると、印刷システムは、チップ幅（２０４）及びチップ高（２０６）を有するチップ（２０２）を含む、成形ワイパ（２００）を含む。成形ワイパ（２００）はまた、チップ幅（２０４）より幅広い側部幅（２１４）を備えた側部（２１２）を有するハンドリング端部（２１０）を含む。チップ（２０２）は、側部（２１２）の上に１つ以上のショルダー（２１６）（図２のＡにおいて（２１６Ａ）と（２１６Ｂ）として示される）を備えたハンドリング端部を形成するように、側部（２１２）に位置付けられる。１つ以上のショルダーのショルダー幅（２１８）は、側部幅とチップ幅の間の差（図２のＡにおいて（２１８Ａ）と（２１８Ｂ）の合計として示される）である。チップ幅（２０４）は、チップ（２０２）がスリットを貫通するのを可能にするほど十分に狭く、且つ、マスクに面するオリフィス表面の全幅が確実にワイプされる程十分に幅広く構成される。チップ高（２０６）は、ワイピング中にチップがオリフィス表面に予め決定した圧力を加えるように構成される。当業者に明白なように、オリフィス表面に接触してワイピング中に蓄積の除去を行なうチップ（２０２）の一部は、ハンドリング端部の視点から、チップ（２０２）の遠心端（２０８）である。図２のＡ−２のＣは側面図であり、したがって、チップ幅（２０４）はＹ軸の前／後の方向にあり、チップ高（２０６）はＺ軸の上／下の方向にあることに注意する。
【００６１】
チップ（２０２）は、２つのショルダー（２１６Ａ）と（２１６Ｂ）（２つのショルダーの各々は、チップ（２０２）の反対側にある）を備えたハンドリング端部（２１０）を構成するように側部（２１２）に位置付けられる。ショルダー（２１６Ａ）のショルダー幅（２１８Ａ）は、ショルダー（２１６Ｂ）のショルダー幅（２１８Ｂ）とほぼ等しい。
【００６２】
ハンドリング端部の形状は、適用に依存して異なり、限定されないが、立方体、長方形立方体（ｒｅｃｔａｎｇｕｌａｒ−ｃｕｂｅｓ）、及び円柱状を含む。ハンドリング端部がチップの高さの方向と平行な軸を備えた円柱である場合、ハンドリング端部の側部は、円柱の頂部（あるいは底部）及び側部幅は円柱の直径である。
【００６３】
図２のＢ（１つのショルダーを備えた成形ワイパの側面図のスケッチ）を参照すると、印刷システムは成形ワイパ（２００）を含み、ここで、チップ（２０２）が１つのショルダー（２１６Ｃ）を備えたハンドリング端部（２１０）を構成するように、側部（２１２）に位置付けられる。
【００６４】
図２のＣ（角度のあるショルダーを備えた成形ワイパの側面図のスケッチ）を参照すると、印刷システムは、成形ワイパ（２００）を含み、ここで、ショルダー（２１６Ｄ）及び（２１６Ｅ）は、チップ（２０２）に垂直でない。適用に依存して、角度のあるショルダーは、動作中に成形ワイパの材料の圧縮、印刷システムの、特にマスク及び／又はスリットの、又は成形ワイパの製造工程による物理的特性により、望ましいかもしれない。ショルダーがチップに垂直でない場合、ショルダー幅は、Ｙ軸の方向（チップ高のＺ軸方向に垂直）で測定される。チップの高さを測定するための基準線は幾分任意のものであり、成形ワイパの他の位置は測定の目的のために使用され、成形ワイパが使用されている特定の適用、及び成形ワイパが構築される材料の特定の特性に依存することに注意する。
【００６５】
図３（成形ワイパの正面図のスケッチ）を参照すると、チップ（２０２）のチップ長さ（２２０）は、側部幅（２１４）にほぼ等しい。図３は正面図であり、したがって、チップ長さ（２２０）はＸ軸の左／右の方向にあり、チップ高（２０６）はＺ軸の上／下の方向にあることに注意する。チップ長さ（２２０）は、スリット及び成形ワイパのサイズの実体によって測定される最小及び最大のサイズを備えた、任意のサイズであり得る。好ましくは、チップ長さ（２２０）は、側部幅（２１４）とほぼ等しい。成形ワイパ（２００）が使用されている特定の適用に依存して、チップ長さ（２２０）は、側部幅（２１４）より短く、それとほぼ等しく、又はそれよりも長いこともある。
【００６６】
図４のＡ（成形ワイパを備えた印刷システムの側面図）を参照すると、成形ワイパ（２００）は、マスク（１０４）中のスリット（１０６）に挿入されている。成形ワイパのチップがスリットの全幅を占領するため、スリット（１０６）は側面図では目に見えない（図１のＢのスリット（１０６）を参照）。この場合、チップ幅は、スリット幅とほぼ等しい。典型的に、１つ以上のショルダー（２１６）は、スリット（１０６）の少なくとも１つの端部に接している。チップ（２０２）は、スリット（１０６）を通じて延長する。チップ（２０２）の遠心端（２０８）は、オリフィスプレート（１０２）によって提供されるオリフィス表面に接している。
【００６７】
図４のＢ（成形ワイパを備えた印刷システムの正面図）を参照すると、成形ワイパ（２００）は、スリット（１０６）に挿入され、チップ（２０２）の遠心端（２０８）は、オリフィスプレート（１０２）によって提供されるオリフィス表面に接している。ショルダーが前／後（Ｙ軸）方向にあるため、成形ワイパのショルダーは、図４のＢにおいて目に見えないことに注意する。ショルダーのエリアは、成形ワイパ上に点線で示され、チップがハンドリング端部に対応する場所を示す。
【００６８】
現在の実施形態の重要な特徴は、成形ワイパの構成であり、その結果、成形ワイパの１つ以上のショルダーがマスクに接している場合、及び具体的にスリットの１つ以上の端部それぞれに接している場合、チップは、オリフィス表面に予め決定した圧力を加える。この特徴は、マスクに成形ワイパを置くことを促進し、ハンドリング端部のショルダーにより、過度の挿入を防ぐ。要するに、ショルダーは、成形ワイパのチップがスリットに極端に押し込まれるのを防ぎ、それは、チップによってオリフィス表面に適用される予め決定した圧力を超えた圧力をもたらし得る。上述の通り、過剰圧力の回避は、オリフィス表面の滑らかさ及び湿り気の無い特性を保存するのが望ましく、オリフィス表面上の湿り気の無いコーティングを保護する。不十分な圧力を加えることがオリフィス表面の非同一で不適当なワイピングをもたらし得るため、ショルダーはまた、チップがオリフィス表面に十分な圧力を加えるのを促進する。要するに、加えられる圧力が少なすぎ、又は予め決定した圧力よりも少ないため、ワイピングは、オリフィス表面を確実にクリーニングすることができない。
【００６９】
現在の記載での明瞭さのため、オリフィスプレートに予め決定した圧力を加えるチップに言及する場合、チップは単数形で、圧力を加えるものとして称される。当業者は、チップが、一方のワイピングからもう一方のワイピングまで異なり得る圧力、即ち、圧力の許容可能な予め決定した範囲内の各ワイピングの圧力を加えることを理解する。好ましい最小圧力は、オリフィス表面から蓄積を除去するのに十分である。好ましい最大圧力は、チップがオリフィス表面にダメージを与えることを可能にする圧力よりも下である。オリフィス表面に接している時にチップによって加えられた静圧力は、ワイピング中の圧力（オリフィス表面に接している間のチップの動態的変動）と異なり得る。チップとオリフィス表面の間の静的接触と動的接触の間の圧力の任意の差は、蓄積を除去し、且つオリフィス表面へのダメージを防ぐ圧力の予め決定した範囲内にあるべきである。成形ワイパの革新的な形状及び使用は、チップによってオリフィス表面に加えられている予め決定した圧力範囲をもたらすチップを提供する。
【００７０】
典型的なスリット幅（１１２）は１ミリメートル（ｍｍ）である。２ｍｍなどのスリット幅に対するより大きな値が可能である。スリットの開口が大きくなるにつれ、シールド効果は小さくなることに注意する。０．３ｍｍ及び更に０．１ｍｍなどのスリット幅に対するより小さな値が可能である。最小の可能な値は、スリットの直線度における不確実性、及びスリット開口を通じる噴射を妨害しないスリットにおけるノズル配列を整列させる能力に加え、ノズル口径に等しい。スリット開口の最小値に対する実用的な限定が、時々オリフィスプレートをワイプする（又は擦る）ことを必要とする。定期的なワイピングのため、成形ワイパは、スリットによってオリフィスをワイプすべきであり、従って、成形ワイパ幅のチップの幅は、スリット幅に相当するべきである。そのような成形ワイパのチップの実用的な最小の幅は、０．５ｍｍである。チップ幅（２０４）の好ましい遂行は、スリット幅と等しいことである。製品が耐性の仕様を常に必要とするため、チップ幅に可能な仕様は、スリット幅の１０％を加えたスリット幅である：チップ幅＝スリット−幅＋（０乃至１０％）。この仕様は、ワイパが柔軟であり、成形ワイパのチップが、成形ワイパのチップの幅より狭いスリットに入ることができるという事実を反映する。この可能な仕様はまた、スリットの後ろのオリフィスプレートの全幅を確実にワイプするという望みを反映する。制限しない例において、１．１ｍｍのチップ幅は１．０ｍｍのスリットをワイプするために使用される。
【００７１】
典型的に、スリットの端部からノズル（オリフィス）のオフセットの距離は、１２０ミクロン（μｍ）＋−３０μｍである。スリットの端部からノズルの比較的小さなオフセットのため、スリットの上の全オリフィス表面の確実なワイピングは重要であり、従って、チップ幅とチップ高は、成形ワイパの成功的な遂行のための重要な（重要でない場合の）特徴である。
【００７２】
オリフィス表面が、（この文書の内容において、オリフィス幅とも称される）オリフィス直径を有する１つ以上のオリフィスを有する場合、好ましくはチップ幅（２０４）は、オリフィス直径と少なくとも同じくらい幅広く、それにより、オリフィスが成形ワイパのチップの１回の引き抜きによってワイプされることを可能にする。
【００７３】
シールド深さ（１１８）、即ちオリフィスプレート（１０２）の表面（オリフィス表面）とマスク（１０４）の底部との間の距離は、典型的に０．４ｍｍに０．６ｍｍを加えた又はそれを差し引いたもの（シールド深さ＝０．４＋−０．６ｍｍ）である。チップ高（２０６）は、好ましくは最初の高さの２０％乃至３０％を加えたシールド深さ（チップ高＝シールド深さ＋２０％乃至３０％）である。
【００７４】
好ましくは、成形ワイパのチップは、オープンセルフォームなどのオープンセル材料で作られている。オープンセル材料は液体を吸収し、チップがワイピングの前にクリーニング液を吸収するのを促進する。ワイピング中、オープンセルからのクリーニング流体は、オリフィス表面上の堆積物の蓄積を緩め及び／又はそれと結合するためのオリフィス表面から取り出すことができる。ワイピング中、オープンセルフォームは、毛管作用を介してインク、及びチップのオープンセルへの堆積物の蓄積を引き抜くことを促進し、それにより、オリフィス表面から堆積物の蓄積を除去する。
【００７５】
上述のように、オリフィスプレートは大抵、湿り気の無いコーティングで覆われる。湿り気の無いコーティングは、不適当なワイピングによって容易に傷つけられ得る。それ故、成形ワイパのチップは、湿り気の無いコーティングに対する傷、除去、及び他のダメージを防ぐほど十分に柔らかくなくてはならない。
【００７６】
成形ワイパのチップに使用されるオープンセルフォームの望ましい特徴は、限定されないが以下のものを含む：
オリフィスプレートの繊細な湿り気の無いコーティングを傷つけないこと（化学的に及び物理的に）、
積極的な分散剤に関して不活発、
ヘッドの温度（４０÷６０Ｃ）に耐える、
柔軟性を維持する、
一定の小さなオープンセルで製造されることができる、
切断に対する耐性（スリットの縁部は典型的に鋭い）、
使用の寿命のサイズを維持する、及び
ワイピング中に形状を十分に維持する。
【００７７】
成形ワイパのチップに好ましい材料は、ポリオレフィンである。
【００７８】
製造の容易さのため、好ましくは、全体の成形ワイパは、上述のように、同じ物質（好ましくはオープンセルフォーム）から構築される。他の構築技術は可能であり、２点の成形ワイパを含み、ここでハンドリング端部及びチップは、異なる材料から構築され、完全な成形ワイパを形成するために繋げられる。オープンセルフォーム以外のチップの材料を使用することも可能である。この記載に基づいて、当業者は、セグメントの個数を、及び特定の適用のため成形ワイパを構築するための材料を選択することができる。
【００７９】
代替の実施形態において、チップ幅（２０４）は、スリット幅（１１２）未満であり得る。この場合、成形ワイパのより精密な位置付け、制御、及び／又は移動が、ワイピングを行うために必要とされる。制限しない例において、最初のワイピング中、成形ワイパのチップは、スリットの第１の端部に接しており、次のワイピング中に、チップはスリットの第２の端部に接している。チップの幅がスリットの幅未満であるため、少なくとも２回のワイピングが、スリットの全ての端部を確実にワイプするために必要とされる。この場合、ワイピングは、Ｘ軸の方向における、要するに、スリットの片側の方向におけるスリットのもう片側からのスリットに沿った、成形ワイパの１つの移動、又は通過である。１つのワイパは、複数回使用され得、又は複数のワイパは、適用に依存して、１回以上使用され得る。ワイパのチップの配向及び／又は角度の変更も、ワイプされるのが望まれる領域全てを複数回ワイプする間に使用され、及び／又はワイピングのためのチップの異なる部分を使用する。当業者にとって明白なため、チップ幅がスリット幅未満である場合、スリットに対するノズルの位置はまた、ワイピングのための成形ワイパの位置付け及び移動を考慮する必要がある。
【００８０】
図５のＡ（短いスリット（５００）を備えたマスク（１０４）の略図）、及び図５のＢ（長いスリット（５１０）を備えたマスク（１０４）の略図）を参照すると、随意に短いスリット（５００）及び長いスリット（５１０）は、スリット（１０６）の少なくとも１つの対応する側部上に１つ以上の幅広いセクション（５０２）を含む。幅広いセクション（５０２）は、成形ワイパのチップを受け、スリット（１０６）へチップを誘導するように構成される。「短いスリット」（５００）の場合、１つ以上の幅広いセクション（５０２）の幅を含むスリット（１０６）の幅は、マスクの幅未満である。「長いスリット」（５１０）の場合、１つ以上の幅広いセクション（５０２）の幅を含むスリット（１０６）の幅は、マスクの幅にほぼ等しい。長いスリット（５１０）の特徴は、オリフィス表面の平面において、チップがマスクの側部からスリットを侵入させることを可能にする、マスクの側部に開放しているスリットの側部である。短いスリット及び長いスリットの両方は、１つの幅広いセクションよりも幅広い、スリットの片側部についての単一より広いセクション又は１つを超える幅広いセクション（スリットの別々の側部上の各々の幅広いセクション）を有し得る。好ましくは、スリットのスリット長さは、オリフィスプレートにおけるノズルの対応する列の長さより長く、スリットの上のオリフィス表面のワイピングの始まり及び終わりの際に、成形ワイパの挿入及び除去の空間を可能にする。この記載に基づいて、当業者は、成形ワイパのサイズ、ワイピングの前後のオリフィス表面へのチップの所望の接触、及び成形ワイパの挿入並びに除去のための空間を可能するワイパの移動に基づいて、スリット長さを形成することができる。
【００８１】
図６のＡ（短いスリットを介するワイピング）、及び図６のＢ（長いスリットを介するワイピング）を参照すると、印刷方法は、マスク（１０４）のスリット（１０６）に成形ワイパ（２００）のチップを挿入する工程を含み、その結果、成形ワイパ（２００）のハンドリング端部の１つ以上のショルダーは、スリット（１０６）の１つ以上の縁部それぞれに接している。ショルダーがスリットの縁部に接している場合、チップは、オリフィスプレート（１０２）のオリフィス表面に予め決定した圧力を加える。チップがオリフィス表面をワイプするように、成形ワイパは、オリフィス表面に対して移動する。典型的に、印刷ヘッドは静的であり、成形ワイパは、印刷ヘッドを横切って移動する。成形ワイパが静的であり、印刷ヘッドがワイピングを行なうために移動するため、ワイピングは、成形ワイパとオリフィス表面の間の相対的運動である。
【００８２】
図６のＡを参照すると、短いスリットを介するワイピングの制限しない例は、Ｘ軸の方向に（６００）として示されるように、印刷ヘッド（１００）より下の位置へ移動されている成形ワイパ（２００）を含む。成形ワイパ（２００）がスリットより下の所望の位置にある場合、成形ワイパのショルダーがスリットの縁部を接触させるまで、成形ワイパが移動し、それにより、チップをスリットの底部からスリットへ挿入させ、チップは予め決定した圧力によりオリフィス表面を接触させる（Ｚ軸の方向に（６０２）として示される）。チップはスリットに挿入され、一方でチップは、印刷マスクの底面へと直角に移動する。スリットの縁部に接する成形ワイパのショルダーを維持している間、チップは、予め決定した圧力でオリフィスプレートに接している。成形ワイパは、チップがＸ軸の方向に（６０４）として示されるオリフィス表面をワイプするように、オリフィス表面に対して移動する。通過が完了し、オリフィスプレートがワイプされた後、成形ワイパは印刷ヘッドから離れ、それにより、Ｚ軸の方向に（６０６）として示されるスリットからチップを除去する。その後、成形ワイパは、Ｘ軸の方向に（６０８）として示される、印刷ヘッド（１００）の下から外に移動することができる。
【００８３】
図６のＢを参照すると、長いスリットを介するワイピングの制限しない例は、Ｘ軸の方向に（６２０）として示される、印刷ヘッド（１００）のそばの位置へ移動する、成形ワイパ（２００）を含む。長いスリットを介するワイピングは短いスリットを介するワイピングに類似するが、しかしながら、成形ワイパのチップは、上／下（Ｚ軸）方向の動作を必要とせず、スリットの側部を介してスリットを侵入させることができる。成形ワイパのチップは、スリットの側部を介してスリット（１０６）を侵入させる。チップはスリットへ挿入される一方で、チップはスリットの方向（Ｘ軸の方向）に移動する。成形ワイパのショルダーは、スリットの縁部を接触させ、それにより、チップをスリットに挿入し、チップは予め決定した圧力によりオリフィス表面に接触する。予め決定した圧力でオリフィスプレートに接するチップを維持している間、成形ワイパは、チップがＸ軸の方向に（６２２）として示されるオリフィス表面をワイプするように、オリフィス表面に対して移動する。通過が完了し、オリフィスプレートがワイプされた後、チップは、スリットの側部を介してスリットから除去され、Ｘ軸の方向に（６２４）として示される、印刷ヘッドの下から外に移動する。Ｚ軸の方向の成形ワイパの移動の必要性は、マスクに対して成形ワイパのショルダーを押すため、傾斜した底面を備えたマスクを設計することにより回避することができる。
【００８４】
好ましくは、ワイピング中、チップはまたスリットの縁部に接しており、それにより、ワイピング中にスリットの縁部をクリーニングし、且つ、スリットの後にある完全なオリフィス表面のクリーニングを確認する。
【００８５】
ワイピングは、オリフィス表面からチップを除去すると共に、又は除去することなく、同じ方向又は交互方向に１つ以上の経路を含み得る。あるいは、オリフィス表面の一部がワイプされ得る。制限しない例において、ノズルの一部のみが使用されており、使用されているノズルに対応するオリフィス表面の一部のみがワイプされる。別の制限しない例において、ワイピングは、オリフィス表面の一部からの蓄積を除去することができず、オリフィス表面のその一部の横方向の繰り返しのワイピングは、オリフィス表面のその一部からの蓄積をこすり取るために使用される。
【００８６】
ショルダーがスリットの縁部を押すことなく、成形ワイパは、ワイピングのために使用され得ることに注意する。成形ワイパの寸法が知られているため、特に、ハンドリング端部の高さ及びチップの高さ（チップ高）、ハンドリング端部は、スリットの縁部に接触するハンドリング端部のショルダーを必要とすること無く、チップが予め決定した圧力をオリフィス表面に加えるように、スリット及び／又はオリフィス表面に対して操作され得る。当業者に明白なため、マスクスリットの縁部に接した具体的に設計されたショルダーの無いワイパの使用は、ワイピングに対処しなければならない更なる困難を提示する。
【００８７】
好ましい実施形態において、図５のＡ及び図５のＢに関して記載されるように、スリットは幅広いセクション（５０２）を含み、チップの挿入は、スリットの側部上の幅広いセクションを介してチップを挿入する工程を含む。幅広いセクションは、成形ワイパのチップを受け、且つスリットへチップを誘導するように構成される。スリットがスリットの第１の側部上に１つの幅広いセクションを有する場合、チップは、幅広いセクションを介して典型的に挿入され、ワイピングは、スリットの第１の側部からスリットの反対側部までである。スリットがスリットの両側部上に幅広いセクションを有する場合、チップは、側部の何れかを介して挿入され、ワイピングは、挿入の側部からスリットの反対側部面までである。
【００８８】
図７のＡ（成形ワイパのための保持具の側面図）、及び図７のＢ（成形ワイパのための保持具の正面図）を参照すると、保持具（７００）の１つの実施形態が示される。保持具（７００）は、成形ワイパ（２００）のハンドリング端部（２１０）を少なくとも部分的に囲む。少なくともチップ（２０２）は、保持具（７００）から伸びる。保持具（７００）の動作は、ハンドリング端部（２１０）を介して成形ワイパの位置を決めるために使用され得、チップ（２０２）がスリットへ挿入されることを具体的に可能にする。
【００８９】
図８のＡ（複数のスリットを備えたマスクの略図）を参照すると、マスク（８００）は、単一のスリット（１０６）を有する例のマスク（１０４）（図１のＡ−図１のＤを参照）と比較して、複数のスリット（８０２）を有し得る。複数のスリット（８００）を備えたマスクの限定しない例は、６つのスリットを有する。スリットの各々は、スリット（１０６）の各側部上の随意の幅広いセクション（５０２）と共に示される。典型的に、複数のスリット（８０２）はＹ軸の方向に揃えられる。スキャンとワイピングは、Ｘ軸の方向にあるスリット長さの方向にある。
【００９０】
図８のＢ（成形ワイパのための複数の保持具（８１０）の略図）を参照すると、６つの成形ワイパは、単一の複数の保持具（８１０）に保持される。１つより多くの成形ワイパのための複数の保持具のこの制限しない例は、複数のスリット（８００）を備えた例のマスクと共に使用され得、複数の保持具は、複数の保持具（８１０）の成形ワイパ（２００）の各々が複数のスリット（８０２）のスリット（１０６）の１つに揃えられるように設計される。複数の保持具（８１０）は、Ｙ軸の方向に整列される成形ワイパと共に示され、複数のスリット（８０２）のアラインメントに対応し、成形ワイパの各々のチップ（２０２）は、Ｚ軸の方向にあることに注意する。
【００９１】
保持具の随意の使用は、ワイピング前、ワイピング中、ワイピング後、及びワイピングの無い期間中に、成形ワイパの位置付けを補助することができる。保持具は、操作を行うのに必要とされる機器の大きなサイズと比較して、比較的小さな成形ワイパそれぞれを操作する機構を提供することが出来る。保持具は、各成形ワイパを個々に交換、位置付け、及び確認を行わなければならないことに比べて、成形ワイパのより容易で素早い交換のための、交換可能ユニットを提供することもできる。
【００９２】
図９のＡ（槽を備えた成形ワイパの保持具の略図）を参照すると、ワイピングの無い期間中、流体（９０２）を備えた槽（９００）は、成形ワイパ（２００）のために提供され得る。ワイピングの無い期間は、印刷ヘッドが正常な使用状態にあり、インクを噴射し、及び基板に印刷している時間である。ワイピングの無い期間中、保持具などの、成形ワイパ及び関連する構成部品は、印刷ヘッドの下の領域から除去され、それは、印刷ヘッドと基板の間の領域である。
【００９３】
図９のＢ（流体槽におけるチップを備えた成形ワイパの略図）を参照すると、保持具（７００）は、成形ワイパ（２００）の少なくともチップ（図示せず）が槽（９００）の流体（９０２）に沈められるように回転される。この限定しない例において、保持具は、槽（９００）の流体（９０２）における成形ワイパのチップを沈めるために、Ｙ軸（Ｘ−Ｚ平面における）の周囲で回転する。
【００９４】
好ましくは、ワイピングの無い期間中、成形ワイパの少なくともチップは、流体（９０２）に保管される。流体の選択は、限定されないが、クリーニング液、及び印刷液（インク）を含む。流体は、チップが乾燥するのを防ぐために選択され、それは、上述のように、オリフィス表面に傷をつける、又は他にダメージを与える機会を増やしてしまう。流体はまた、（流体がクリーニング流体である場合において）チップからのインクの除去を促進し、又は（流体がインクである場合において）少なくともチップ上のインクを湿らせた状態に保つことを促進し得る。ワイピング中に除去された堆積物がチップの上にある場合、流体への侵入は、堆積物が成形ワイパのチップに残るのを促進する。チップからの蓄積、堆積物、及び他の研磨材の除去は、成形ワイパがワイピングのため複数回使用されることを可能にする。
【００９５】
図１０を参照すると、槽の交換可能なユニット（１０００）を備えた成形ワイパの略図は、流体（９０２）を含有する槽（９００）を備えた対応する保持具（７００）において、１つ以上の成形ワイパ（２００）を含む。現在の図における制限しない例のため、ワイピングは、Ｘ軸の（負の）方向に（１００２）として示される。交換可能なユニット（１０００）は、各成形ワイパを個々に交換し、位置付け、確認し、槽の中に保持具を設置し、及び／又は槽の中の流体を交換しなければならないことと比較して、交換可能ユニット（１０００）は、成形ワイパのより容易でより素早い交換のための交換可能なユニットを提供する離散的システムの構成部品であり得る。当業者は、槽のための流体を備えた成形ワイパ、及び、特定の適用のための成形ワイパのワイピングの寿命の必要条件（ｌｉｆｅｔｉｍｅ  ｗｉｐｉｎｇ  ｒｅｑｕｉｒｅｍｅｎｔ）のための材料を選択し、一致させることができる。好ましくは、成形ワイパの寿命は、槽の中の流体のタイプ及び量（相応して槽のサイズ）に一致し、全交換可能なユニット（１０００）の経済的な交換を促進する。
【００９６】
代替の遂行において、槽は、成形ワイパからの別々の構成部品として提供され得る。この場合、ワイピングしない期間中、成形ワイパは槽に移動し、少なくとも成形ワイパのチップは槽の中の流体に浸される。制限のない例において、成形ワイパは保持具に取り付けられ、保持具は移動し、それにより、槽に成形ワイパを移動させる。その後、保持具は、槽の流体において成形ワイパのチップを浸すために移動し及び／又は回転し得る。
【００９７】
流体は槽と共に、又は槽とは別々に提供され得る。制限のない例において、槽は流体を含有する使い捨て容器である。新しい槽が必要な場合、槽は開放され、流体が使用される。流体がもはや使用されない場合、例えば、品質、清潔さ、及び／又は効果が望ましいレベルより下の場合、槽及び流体は捨てられ、又は好ましくは再利用され得る。別の制限のない例において、槽は多用途の包装容器である。槽の中の古い流体がもはや使用されない場合、古い流体は槽から除去され（捨てられる又は再利用される）、随意に槽の包装容器はクリーニングされ、槽は新しい流体で再び満たされる。
【００９８】
〈詳細な説明−第２の実施形態−図１１乃至２０〉
オリフィスプレートをクリーニングするための上記実施形態が有用である一方、従来の技術と比較して、印刷しない時間の堆積物の蓄積を防止し、インクジェットヘッドの維持の効率性を高めるため、追加的な技術を組み合わせて、又は独立して使用することができる。上述の通り、長期間印刷しない間に、ノズルに残るインクの液体の部分が蒸発し、堆積物が残り得る。この文書の内容において、「長期間印刷しない間」及び「長い時間」という用語は、印刷ヘッド上の残りのインクが乾き、その結果印刷ヘッド上で堆積物が蓄積されるのに十分な時間を指して、互換的に使用される。
【００９９】
長期間印刷しない間に堆積物の蓄積を防止する革新的な方法は、印刷ヘッドの少なくともオリフィスプレートを、ノズルからの揮発性の液体の蒸発を回避する保護液に入れる工程、それにより印刷ヘッドへの堆積物の蓄積を防止する工程を含む。好ましくは、保護液は印刷インクである。この文書の内容において、この革新的な技術は、「インクリテーナー」、「インク槽」又は「インク保持機構」を指す。
【０１００】
印刷マスクが使用されている場合に、スリットを密封し、印刷マスクをインクリテーナーとして使用することを促進するために、革新的な「ナイトプレート」を使用することができる。ナイトプレートを使用して、十分にスリットを密封した後、印刷ヘッドとマスクの間の隙間を満たすために、インクが印刷ヘッドからパージされ、それによって、パージされたインクで少なくともオリフィスプレートを覆う。パージされたインクは、保護流体として作用し、オリフィス表面からインクの蒸発を防止し、それによって、印刷ヘッド上の堆積物の蓄積を防止する。
【０１０１】
試験は、インクリテーナー及び／又はナイトプレートの方法及び装置を使用すると、一週間の印刷しない期間（典型的な印刷しない期間より長い時間）にノズルが詰まることなく、印刷ヘッドが維持され得ることを示した。ある試験は、分散媒（ｃａｒｒｉｅｒ  ｆｌｕｉｄ）（指定される液体キャリア）、銀ナノ微粒子（完全な分散に対する銀の５０％の重量比）、及び分散剤のような溶媒を含む、高品質なインク（自家製）で行われた。室温での粘性は、２５から３０センチポアズだった。明らかに、低グレードのインク（堆積物を放出する傾向があるもの）を使用する場合、流れのないインクに浸されると、より短い印刷しない期間の後にヘッドが詰まり得る。槽内におけるインク循環を含む随意の課題解決が、以下に記載される。
【０１０２】
適用に依存して、様々な流体が、保護流体として使用され得る。好ましくは、保護流体は印刷流体、又は言い換えると、印刷に使用されるインクである。インクは、印刷ヘッドから容易に利用可能で、印刷に使用されるインクと明らかに互換性をもつ。インク以外の流体を使用することには、印刷に必要とされる典型的な質で印刷を再開するために克服される必要のある、様々な問題が存在する。湿潤流体又はクリーニング流体のような、インク以外の保護流体を使用する場合の１つの問題は、湿潤流体又はクリーニング流体がノズルに入り（逆流し）、印刷インクと混合し得ることである。印刷インクと湿潤流体又はクリーニング流体とのこの混合物は、印刷が再開できる前にパージされる必要がある。もし、分散媒（印刷インク用の分散媒）が保護流体として使用される場合には、分散媒のノズルへの逆流は、印刷ヘッド内部の印刷インクの密度を変化させ得るのであって、それは印刷を再開する前に印刷ヘッドのパージを必要とし得る。
【０１０３】
印刷しない期間にノズルを保護するための従来技術は、オリフィス表面にゴム又は他の材料を取り付けることを含む。堆積物の蓄積を防止するために、ゴム又は他の材料をクリーニング流体又は湿潤流体に浸す。上述の通り、従来の方法では、クリーニング流体又は湿潤流体がノズルに逆流し、印刷インクと混合することに悩まされる。現在の実施形態の特徴は、保護流体のために、パージされたインクを使用することである。
【０１０４】
図１８（インクリテーナーを備えた印刷ヘッドの略図）を参照すると、印刷システムは、オリフィス表面（１０２）を備えた印刷ヘッド（１００）を含む。少なくともインクリテーナーの一部が、少なくとも印刷インクで部分的に満たされる場合に、印刷インクがオリフィス表面（１０２）のほぼ全ての底に接するように、インクリテーナー（１８００）が構成される。これにより、オリフィス表面は、印刷しない期間中、湿った状態で維持される。印刷システムは、印刷ヘッドに対してインクリテーナーを構成するのに操作可能なポジショニング機構（図示せず）を含み得る。第１の状態で、印刷しない期間に、ポジショニング機構は、印刷インクがオリフィス表面のほぼすべてに接するように、印刷ヘッドに対するインクリテーナーを位置付ける。第２の状態で、印刷中に、ポジショニング機構は、インクがオリフィス表面から基板に噴出され得るように、印刷ヘッドに関連するインクリテーナーを位置付ける。インクリテーナーは、第１の状態に位置付けられる前、又は第２の状態に位置付けられた後に、保護流体、好ましくは印刷インクで満たされ得る。インクリテーナーが第１の状態にあるとき、オリフィス表面は印刷インクに浸される。オリフィス表面の液浸は、オリフィス表面を印刷インク内へ相対的に位置付けること、あるいは代わりに、印刷インクでオリフィス表面を浸すこと（ｆｌｏｏｄｉｎｇ）を含んでいる。インクでオリフィス表面を浸すことは、インクを、ヘッドからオリフィス（すなわちパージング）を通して、インクリテーナーへ分配することにより行われ得る。インクリテーナーが第１の状態（印刷していない）から第２の状態（印刷している）まで移行する時、オリフィス表面は印刷インクに浸されていない。液浸に使用されるインクは、好ましくは、印刷に使用されるのと同じインクである。ポジショニング機構の様々な遂行は、印刷システムの特定条件に依存し得る。典型的には、ポジショニング機構は自動化されており、これらに限られないが、ロボットアーム又は自動移動機構を含む。インクリテーナー及び／又は印刷ヘッドもまた、互いに関連して、又は印刷システムの他の構成物に関連して、手動で位置付けられてもよい。
【０１０５】
図１８の例に限らず、インクリテーナー（１８００）は、インク槽（１８０２）を含む。オリフィス表面が湿った状態で保たれている場合、オリフィスの外側の液体の乾燥は防止される（上述の通り）。インクが小さな固形微粒子の分散を含んでいる場合で、特に、粒子が「ナノ」の寸法にある場合（すなわち、わずかナノメートルの１０分のいくつかの大きさの粒子）、印刷システムに追加の影響が存在する：小さな固形微粒子は、ブラウン運動のために、絶えず不規則な方向に動く。オリフィスがインク槽に浸される場合、粒子は自由に、ヘッドの内部から外部へ、またその逆に移動する。この移動は、沈殿を防止するか、遅くさせる。槽の壁と印刷ヘッドの間の隙間（１１０）は、保護流体（１３００）で少なくとも一部を満たし得る、インクリテーナー（１８００）の一部を提供する。この場合、保護流体は、印刷インクである。
【０１０６】
図で明らなため、オリフィス表面（１０２）は高さで示されるが、しかし実際に、オリフィス表面の高さは、印刷システムの他の寸法に比べて小さいことに注意する。オリフィス表面に接している保護流体に対する言及は、オリフィス表面の底面の接触に対する言及として一般に理解されるべきであると、当業者は理解するであろう。実際に、オリフィス表面は、オリフィス表面の底面が印刷インクと確実に接触し続けるために、印刷インクに囲まれる必要があるであろう。
【０１０７】
槽（１８０２）は、槽がオリフィス表面（１０２）を囲む前に、印刷インクで少なくとも部分的に満たされ得る。あるいは、槽がオリフィス表面を囲んだ後に、槽は、少なくとも部分的に印刷インクで満たされ得る。好ましくは、槽を満たすためのインクは、印刷ヘッドからインクをパージすることにより提供される。
【０１０８】
インクリテーナー（１８００）の他の遂行は、特定の適用条件に依存して遂行され得る。代替の遂行では、インクリテーナー（１８００）は、オープンセルフォームを含む。オープンセルフォームがオリフィス表面に接触する前、又はオープンセルフォームがオリフィス表面に接触した後、オープンセルフォームは、印刷インクで少なくとも部分的に満たされる。好ましくは、オープンセルフォームは、印刷ヘッドからパージされた印刷インクで、少なくとも部分的に満たされる。
【０１０９】
上述の通り、典型的なインクジェットの印刷の適用に使用されるインクは、粒子を含んでいる。限定的でない例では、重金属粒子を含むインクは、ガラス上の電気的な又は熱伝導線、電子プリント回路基板（ＰＣＢ−ｓ）、半導体の装置、及びその他の基板を位置付けるために使用される。そのようなインクの限定的でない例は、上述した、太陽エネルギーの中で使用される光電池のウェーハの金属化のためのインクである。そのインクは、液体キャリア（分散媒）、銀のナノ粒子（完全な分散に対する銀の５０％の重量比）及び分散剤としての溶液を、典型的に含んでいる。粒子を有するそのようなインクが、長期間位置する場合、粒子は分散媒から沈澱し得る。粒子が分散媒から沈澱することは、小さな内側の穴及びヘッドの区画中に有害な堆積物を作ることを意味するので、この沈澱する現象は、印刷ヘッドにとって有害であるかもしれない。インクが流れて撹拌する場合、粒子沈降が防止される。現在の発明は、粒子沈降を防止するために、インクの流れ及び／又は撹拌を使用する。この実施形態では、印刷しない間（休止時間）、インクシステム又は、印刷ヘッド、インクパイプ、インクリザーバー及びインク槽を含む印刷システムの一部を通って、インクが流れる。ある選択は、インクシステム全体を通って、絶えずインクを循環させることである。周期的な選択の実施形態は、周期的にインク槽（１８０２）（受け台）からインクを最初に除去し（ポンピング、サッキング、吸引する）、その後、保護流体（印刷インク）を交換するために印刷ヘッドから再パージすることであってもよい。適用に依存して、すべてのインクが槽から除去され、槽が新しいインクで再補充され、又は追加のインクが槽に加えられ得る。槽の大きさに依存して、追加のインクが加えられる場合、事前に槽内のインクの一部が除去され得る。再パージ及び／又は循環は、粒子からの沈殿を防止し、堆積物の蓄積を防止する。再パージ及び／又は循環は、特定の適用の条件によって決定される、再パージ及び／又は循環の期間で、好ましくは周期的に行われる。インクジェットヘッドによる光電池のウェーハ上の金属線を印刷する特定の適用において（溶解力のある流体キャリアにおいて、５０％重量のナノ銀粒子の分散を含むインクを使用して）、この方法及びシステムは、３０分ごとに活性化される周期的な循環を使用して、うまく実行された。
【０１１０】
図１９（インク槽（１８０２）及び循環機構を備えたインクリテーナー（１８００）の略図）を参照すると、印刷インクは、インク槽から繰り返し除去され得る。図１９の制限的でない例では、除去ポンプ（１９０２Ａ）のような機構は、インク（１３００）をインク槽から除去するために使用される。除去されたインクは、好ましくは、保存位置（１９００）で再使用のために保存される。このようにして、除去されたインクは、インク槽（１８０２）を満たすのに利用可能とされる。適用に依存して、インククリーニング（吸引）システムは、好ましくは、インク槽からインクを除去するために使用され得る。
【０１１１】
随意に、除去されたインクは再循環され、又は新しいインクはインクリテーナー（１８００）に供給され得る。１以上のリターンポンプ（１９０２Ｂ）のような機構は、インクリテーナー（１８００）で使用するために、インク保存位置（１９００）から印刷インク（１３００）を戻すために使用される。
【０１１２】
インクリテーナー（１８００）は、印刷インクで繰り返し満たされ得る。好ましくは、インクリテーナーは、印刷ヘッドからインクをパージすることにより、繰り返し満たされる。印刷インクの少なくとも一部は、インクリテーナーから除去され得、そして、除去されたインクの少なくとも一部は、インクリテーナーを満たすのに利用可能とされ得る。明らかに、インク槽（１８０２）をパージする、あるいはさもないと、再充填する場合、インク槽は、オリフィスプレート（の底面）を覆うために、十分な印刷インクで満たされるべきである。
【０１１３】
いくつかの適用では、印刷インクは、印刷ヘッドの仕様により必要とされる粘性と比較して、あまりにも粘り気がある。そのような場合、印刷システムは、印刷インクの粘性を低下させ、印刷ヘッドの適切な動作を可能にするあらかじめ決定した温度まで、ゆっくりと印刷ヘッドを加熱する。長期間印刷しない間に、印刷ヘッドは通常、印刷インクがあまりに粘り気があるために、印刷ヘッドから促されない、室温にある。この場合、印刷インクがパージされるのを可能にするために使用され得る技術は、印刷インクの粘着性を下げ、印刷ヘッドから印刷インクをパージするのを可能にするのに必要とされる温度まで印刷ヘッドを熱することである。典型的には、印刷ヘッドの加熱は、パージが行われる前の数秒又は数分の印刷しない期間中に行われ得る。印刷ヘッドを熱するのに必要な時間の量は、適用に依存する。パージした後に、印刷ヘッドは、次のパージまで室温に戻ることを可能にされ得る。
【０１１４】
印刷マスクを必要とする適用では、短いスリットが典型的に好まれる。短いスリットは典型的に、長いスリットの使用と比較して、印刷ヘッドの、特にオリフィス表面のより大きな領域が（上述の熱などから）保護されることを可能にする。短いスリットは、ナイトプレートのシーリング素子によって完全に覆われ得るので、ナイトプレートを使用する場合には、短いスリットの使用が好まれる。
【０１１５】
図１１のＡ（ナイトプレートの側面図）を参照すると、取付機構（１１００）は、連結部（１１００Ａ）、弾性シーリング素子（１１０２）、及び随意に少なくとも１つのストッパー（１１０４）を含む。シーリング素子（１１０２）の幅（１１１２）（ｙ軸方向にある）は、好ましくは、スリット幅（１１２）より広い。ナイトプレートは、インクリテーナー（１８００）の好ましい遂行である。
【０１１６】
図１１のＢ（ナイトプレートの平面図）を参照すると、取付機構（１１００）は、連結部（１１００Ａ）、弾性シーリング素子（１１０２）、及び随意に少なくとも１つのストッパー（１１０４）を含む。シーリング素子（１１０２）の長さ（１１１４）（Ｘ軸方向にある）は、好ましくはスリット幅（１１４）より広い。短いスリットより広い幅及び長さを備えた、短いスリット及びシーリング素子の使用が、完全にスリットを覆うシーリング素子を促進し、それによって、保護流体がスリットを通り抜けるのを防止する。
【０１１７】
図１２を参照すると、ナイトプレートを備えた印刷システムは、シーリング素子（１１０２）及び取付機構（１１００、１１００Ａ）を含む。取付機構（１１００）は、マスク（１０４）のスリット（１０６）に接するシーリング素子（１１０２）を位置付けるように構成される。シーリング素子（１１０２）は、少なくともスリット（１０６）のほぼすべてと接する。当業者は、スリットとの接触に対する言及が、一般的に、スリットの空洞（ｖｏｉｄ）と同様に、スリットに隣接する及びスリットの周囲を取り囲む縁部／領域と接触することを指すということを理解することに注意する。シーリング素子（１１０２）は、マスク（１０４）の底部側のスリット（１０６）と接触する。その接触は、マスク（１０４）の上部側上の流体が、マスク（１０４）の底部側へスリット（１０６）を通り抜けることを防止するのに十分なシーリング圧力を有している。シーリング素子は弾性であり、好ましくは圧縮可能である。したがって、圧力下ではシーリング素子は縮み、マスクの底部表面上のスリットの領域に適合する。図１のＡ乃至１のＣに関して上述の通り、マスクの上部側は、オリフィス表面（１０２）に面しており、マスクの底部側の反対側にある。現在記載されているシーリング素子及び取付機構の構成は、この文書の内容においては、ナイトプレートをと称される。
【０１１８】
現在の実施形態の特徴は、ナイトプレートが（典型的には印刷ヘッドの）マスクに取り付けられた場合に、保護液がスリットを通って流れないように、シーリング素子が十分にスリットを密封するように、取付機構（１１００、１１００Ａ）がシーリング素子をスリットに揃えることである。
【０１１９】
保護液がスリットを通って流れるのを防止するために、好ましくはシーリング素子（１１０２）は、クローズドセルフォームのような非多孔性材料である。ソフトシリコンのクローズドセルフォームのような材料が、この用途に使用されてもよい。Ｒｏｇｅｒｓ  Ｃｏｒｐ，Ｉｌ，ＵＳＡによる、Ｔ−８００の５ｍｍの厚みは、現在の発明の遂行において、うまく使用された。ゴムがシーリング素子として使用される場合、ゴムはクローズドセル表面で製造されたタイプのものでもよい。あるいは、スキン、被膜又はクローズドセル表面の供給は、クローズドセル表面を提供するために、ゴム上に置かれ得る。シーリング素子の望ましい特徴は、柔軟性であり、特に、シーリング素子がスリットに一致し、かつ保護液がスリットを通って流れるのを防止するために十分にスリットを密閉することを可能にするシーリング素子の寿命にわたって、十分な柔軟性を維持することである。
【０１２０】
現在の明細書での明確性のために、シーリング圧力でスリットと接触するシーリング素子を指す場合には、シーリング圧力は単数形で言及されることに注意する。当業者は、圧力の許容可能な所定の範囲内で変化し得るシーリング圧力で、シーリング素子がスリットと接触することを理解するであろう。シーリング圧力は、圧力の許容可能な、あらかじめ決定した範囲から選ばれる。好ましい最小の圧力は、保護液がスリットを通って流れることができないほど、十分である。好ましい最大の圧力は、シーリング素子がマスクにダメージを与え得る、又は取付機構及び／又は接続部のような、システムの他の要素にダメージを与えることを可能にする圧力未満である。
【０１２１】
当業者は、シーリング圧力は、マスクの上部側からスリットを通って、マスクの底部側へ液体が流れることが可能になるように、シーリング圧力が下げられ得ることを理解する。あるいは、シーリング素子の大きさは、スリットのほぼすべてを覆わないように減らされ得る。これらの場合には、流体の流量は、印刷しない期間にスリットを通って流れる流体の量が、印刷プロセスを邪魔しない程、十分に小さくあるべきである。当業者は、これに限られないが、連続印刷の前のマスクの底部の追加のクリーニング、最小であってもナイトプレートからの滴下の防止又は対処、及びナイトプレートのクリーニングを含む、対処されなければならない多くの問題を、この遂行が加えることを理解するであろう。上述のような好ましい遂行は、印刷しない期間に、スリットを通って流体が流れるのを防止するために十分なシーリング圧力を使用するために、ナイトプレートを構成することである。あるいは、ナイトプレートのシーリング素子がナイトプレート装置の構成部品の劣化により、それほど効果的でなくなる場合であっても、ナイトプレートがより長時間使用できるように、あまり効果的でないナイトプレートを用いて作動するシステムを設計する利点があるかもしれない。
【０１２２】
スリット上のシーリング素子の過剰な圧力は、潜在的に、スリット、マスク、シーリング素子、及び／又はナイトプレートにダメージを与え得る。したがって、好ましい遂行は、シーリング素子が過剰圧力でスリットと接触するのを防止する機構、又は言いかえればストッパーを含んでいる。シーリング素子（１１０２）がスリット（１０６）と接触している場合には、シーリング素子（１１０２）が、過剰な圧力でスリット（１０６）に接触することを防止するために、１以上のストッパー（１１０４）がナイトプレートの一部として構成される。当業者は、スリットに接触しているシーリング素子に対する言及が、実際にスリットに接触しているシーリング素子を指し、それがスリットを囲むマスクの領域を指すと理解するであろう。
【０１２３】
図１２を再度参照すると、マスク（１０４）の好ましい参照は、少なくともオリフィスプレート（１０２）を囲むことを含む、印刷ヘッド（１００）の底部を囲む縁部（１２００）を含む。印刷ヘッドを囲む縁部を有するマスクはまた、その産業において、受け台とも称される。受け台は、マスク（１０４）と印刷ヘッド（１００）の間の隙間（１１０）を形成する。
【０１２４】
図１３（ナイトプレート及び保護流体を備える印刷ヘッドの略図）を参照すると、シーリング素子（１１０２）は、スリット（１０６）に接しており、また、隙間（１１０）は、保護流体（１３００）で満たされている。この場合、受け台の使用は、印刷ヘッド（１００）の少なくともオリフィス表面（１０２）を覆うために、隙間（１１０）が保護流体（１３００）で十分に満たされることを可能にする。保護流体（１３００）は、好ましくは、印刷ヘッドからパージされたインクである。
【０１２５】
印刷しない期間の最後に、インクが印刷ヘッドの周りから除去され、オリフィスプレートが露わになった。印刷ヘッドは、使用するために準備され、また、ナイトプレートは印刷ヘッドから分離される。適用に適切であるように、ナイトプレートの除去及び使用のための印刷ヘッドの準備は、印刷ヘッドを印刷に戻すためのオーダーを変化させる際に行なわれた随意の工程を含んでいてもよい。
【０１２６】
適用に依存して、様々な方法を、隙間からインクを除去するために使用することができる。１つの遂行では、インク除去システムは、隙間からインクを除去するために構成される。インクを除去することはまた、その産業では、印刷ヘッド及び／又はオリフィス表面からインクを「吸引すること」として言及される。好ましいインク除去システムは、真空システムである。インクを吸引するために、具体的な適用に依存して、様々な技術が使用され得る。本発明とともに使用され得るインクを吸引するための技術を教示する、２０１１年５月２日に出願された、Ｗｏｒｌｄ  Ｉｎｔｅｌｌｅｃｔｕａｌ  Ｐｒｏｐｅｒｔｙ  Ｏｒｇａｎｉｚａｔｉｏｎ（ＷＩＰＯ）  ａｐｐｌｉｃａｔｉｏｎ  Ｐｒｉｎｔｉｎｇ  ｓｙｓｔｅｍ  ｗｉｔｈ  ａｎ  ｉｎｔｅｇｒａｔｅｄ  ｓｅｌｆ−ｐｕｒｇｅ  ａｒｒａｎｇｅｍｅｎｔ，ＩＢ１１／０５１９３４（代理人ファイル４６１９／４）を参照されたい。現在の明細書に基づいて、当業者はナイトプレートの除去の前に、印刷ヘッドから保護液を吸引するための機構を遂行することができるであろう。
【０１２７】
図１４を参照すると、パージされた液体をクリーニングするための機構の略図が、保護液を吸引するための機構の制限的でない例を示す。印刷ヘッド（１００）は、印刷ヘッド（１００）を部分的に囲むハウジングとして単に知られてもいる、印刷ヘッドハウジング（１４００）を含む。その技術分野では、印刷ヘッドハウジング（１４００）は、また時に「マスク」とも称されるが、この文書において使用されるように、マスク（１０４）と混同されるべきでないことに注意する。印刷ヘッドハウジング（１４００）は、上述のマスク（１０４）を使用して遂行されてもよい。ハウジング（１４００）は、印刷ヘッド（１００）の面を囲む側部（１４０２）（図１２からの縁部（１２００））を含む。床としても知られる、ハウジング（１４００）の底部（１４０４）は、マスク（１０４）として機能し、そして部分的にオリフィスプレート（１０２）を囲む。ハウジング（１４００）は、真空システム（１４１０）に接続された１以上の吸気口（１４０６）を含む。吸気口（１４０６）は、パージされた液体が隙間（１１０）からハウジング（１４００）の外へ吸引されるのを促進する。
【０１２８】
印刷しない期間の最後に、印刷ヘッドの周りからインクが除去され、追加的な随意の準備が完了した後、ナイトプレートがマスクから分離される。言いかえれば、ナイトプレートがインクジェット印刷ヘッドからスリットを通って、インクの噴射を可能にするために構成されるように、ナイトプレートは分離構成に移動される。この文書の内容においては、「ナイトプレートを分離すること」又は「分離可能なナイトプレート」のように、ナイトプレートを指して使用される場合の「分離可能な」という語は、シーリング素子（１１０２）をスリット（１０６）から分離すること、又は言い換えると、スリットがもはや密封されず、印刷が可能となるように、マスク（１０４）に対して、ナイトプレートを動かすことを指す。ナイトプレートを分離するために、印刷ヘッドからナイトプレートが除去される必要はないことに注意する。例えば、スリット（１０６）からシーリング素子（１１０２）を分離するために、かつ印刷ヘッドよりも下からナイトプレートを移動させるために、ナイトプレートは回転させることができる。この場合、ナイトプレートは印刷ヘッドに接続されたままであるか、又は印刷ヘッドから除去されてもよい。一般に、具体的な適用に依存して、ナイトプレートは印刷ヘッドから除去され、又はナイトプレートが印刷ヘッドに接続されたままであるが、印刷を邪魔をしないように位置付けられてもよい。
【０１２９】
同様に、この文書の内容においては、「ナイトプレートを取り付ける」のように、ナイトプレートに関して使用される場合の「取り付けられた」という語は、保護液がスリットを通って流れることができないほど、スリットが十分に密封されるようにスリット（１０６）に接触するシーリング素子（１１０２）を位置付けることを指す。ナイトプレートは、ナイトプレートに取り付けられるために、印刷ヘッドに接続される必要がないことに注意する。例えば、ナイトプレートは印刷ヘッドにすでに接続されていてよく、そしてスリット（１０６）にシーリング素子（１１０２）を取り付けるためにナイトプレートが回転される。特定の適用に依存して、ナイトプレートは、使用されず、印刷しない期間に印刷ヘッドに接続されている場合に、印刷ヘッドから除去され得、あるいは、ナイトプレートは、印刷ヘッドに接続されたままであるが、印刷を邪魔しないように維持され得る。
【０１３０】
図１５（バネ機構接続部の略図）を参照すると、取付機構（１１００）がバネ（１５００）として接続部（１１００Ａ）を遂行する。取付機構（１１００）は、少なくとも２つのバネ（１５００）を含む。バネの各々の第１の端部（１５１０）は、シーリング素子（１１０２）の反対側部に取り付けられる。付属構成では、バネの各々の第２の端部（１５２０）は、マスクに接続される。取付機構がマスクに接続され、取付機構が印刷ヘッドに取り付けられるものとして、等しく記述され得る場合に、マスクが印刷ヘッドに典型的に接続されることに注意する。随意に、マスク（１０４）は、印刷ヘッドに取付機構を接続するための位置として役立つ、１以上の追加の部分（１５０２Ａ、１５０２Ｂ）を含む。図１５では、バネの各々の第２の端部（１５２０）は、追加の部分（１５０２Ａ、１５０２Ｂ）を介してマスクに接続される。ストッパー（１５０４）は、上述の通り、シーリング素子（１１０２）が十分なシーリング圧力でスリット（１０６）に接触でき、また過剰な圧力での接触を防止することを可能にするように構成される。図１５の遂行では、ナイトプレートを分離するために、バネ取付機構（１５００）は、ナイトプレートが印刷ヘッドから除去されることを必要とする。
【０１３１】
取付機構の接続要素の収容部（ａｃｃｏｍｍｏｄａｔｉｏｎｓ）を供給するために、マスクの外部の形状及び構成が変更され得ることに注意する。限定的でない例において、マスク（又は、同じく印刷ヘッド）は、取付機構の適用可能な要素を接続するのに適した追加の部分（１５０２Ａ、１５０２Ｂ）を含む。
【０１３２】
図１６のＡ（付属構成の中で、回転可能なクリップ及びバネの取付機構の略図）を参照すると、取付機構（１１００）は、回転可能なクリップ（１６０２）及びバネ（１５００）として、接続部（１１００Ａ）を遂行する。取付機構（１１００）は、取付機構（１１００）の第１の部分（１６１０）上に取り付けられた回転可能なクリップ（１６０２）を含む。少なくとも１つの取付サブ機構（１６３０）は、取付機構（１１００）の第２の部分（１６２０）に取り付けられる。第１の部分（１６１０）及び第２の部分（１６２０）は、シーリング素子（１１０２）の反対側部上にある。この場合、取付サブ機構（１６３０）は、随意に追加の部分（１５０２Ｂ）を介して、バネ（１５００）をマスク（１０４）に接続するために構成されたバネクリップ（１６００）を有するバネ（１５００）を含む。回転可能なクリップ（１６０２）は、随意に回転軸（１６０４）及び追加の部分（１５０２Ａ）を介して、マスク（１０４）に取り付けられる。付属構成において、回転可能なクリップ（１６０２）及び少なくとも１つの取付サブ機構（１６３０）は、マスクに接続される。少なくとも１つのストッパー（１５０４）に関して上述したように、この場合、単一のストッパー（１５０４）は、シーリング素子（１１０２）が、十分なシーリング圧力でスリット（１０６）と接触し、そして過剰な圧力での接触を防止することを可能にするように構成される。
【０１３３】
図１６のＢは、分離構成における、回転可能なクリップ及びバネ取り付けの略図である。分離構成では、少なくとも１つの取付サブ機構（１６３０）が、マスク（１０４）から分離される。現在の図では、バネクリップ（１６００）は追加の部分（１５０２Ｂ）から分離され、それによって、マスク（１０４）からバネ（１５００）が分離する。シーリング素子（１１０２）をスリット（１０６）から分離し、印刷ヘッドよりも低いところからナイトプレートを移動させるために、ナイトプレートは、回転軸（１６０４）上の回転可能なクリップ（１６０２）を介して、時計回りに回転される。この場合、ナイトプレートは分離され、回転軸を介して印刷ヘッドに接続され続ける。あるいは、ナイトプレートは印刷ヘッド（図示せず）から除去され得る。
【０１３４】
図１７のＡは、付属構成における、回転可能なクリップ及びラッチ取り付けの略図である。図１６に関する記述と同様に、取付機構（１１００）は、回転可能なクリップ（１６０２）及びラッチ（１７００）のように、接続部分（１１００Ａ）を遂行する。少なくとも１つの取付サブ機構（１６３０）は、取付機構（１１００）の第２の部分（１６２０）に取り付けられる。この場合、取付サブ機構（１６３０）は、随意に追加の部分（１５０２Ｂ）を介して、マスク（１０４）にラッチ（１７００）を接続するために構成されたラッチクリップ（１７０２）を有する、ラッチ（１７００）を含む。付属構成では、回転可能なクリップ（１６０２）及び少なくとも１つの取付サブ機構（１６３０）は、マスクに接続される。
【０１３５】
図１７のＢは、分離構成における、回転可能なクリップ及びバネ取り付けの略図である。分離構成において、少なくとも１つの取付サブ機構（１６３０）は、マスク（１０４）から分離される。現在の図では、ラッチクリップ（１７０２）は追加の部分（１５０２Ｂ）から分離され、それによって、マスク（１０４）からラッチ（１７００）を分離する。シーリング素子（１１０２）をスリット（１０６）から分離し、印刷ヘッドよりも下からナイトプレートを動かすために、ナイトプレートは、回転軸（１６０４）上で回転可能なクリップ（１６０２）を介して、時計回りに回転される。この場合、ナイトプレートは分離され、回転軸を介して印刷ヘッドに接続され続ける。あるいは、ナイトプレートは、印刷ヘッド（図示せず）から除去され得る。
【０１３６】
印刷方法は、取付機構（マスクのスリットに接するシーリング素子を位置付けるために構成された取付機構）を提供する工程を含む。シーリング素子は、スリットのほぼすべてに、少なくとも接触している。接触はマスクの底部側にある。その接触は、マスクの上部側の流体が、スリットを通ってマスクの底部側に流れることを防止するのに十分なシーリング圧力を有している。現在記述されるように、シーリング素子をスリットと接触して位置付けることは、ナイトプレートの付属構成に相当する。
【０１３７】
ナイトプレートが付属構成にある場合に、シーリング素子が過剰な圧力でスリットと接触することを防止するための、ナイトプレートの部分として、１以上のストッパーが、随意に構成され得る。
【０１３８】
印刷システムの詳細に依存して、シーリング素子がスリットに接しているように、ナイトプレートがマスク又は印刷ヘッドのいずれかに取り付けられ得る。分離構成では、ナイトプレートは、インクジェット印刷ヘッドからスリットを通って、インクの噴射を可能にするように構成される。
【０１３９】
ナイトプレートを取り付けた後に、印刷ヘッドとマスクの上部側の間の隙間が、インクで少なくとも印刷ヘッドのオリフィス表面を覆うように、十分な量の保護流体で満たされる。好ましくは、保護流体は、印刷ヘッドからパージされたインクである。印刷しない期間に、取り付けられたナイトプレート及びオリフィス表面を覆う保護流体で、記述される通りに、印刷ヘッドが保管され得る。現在記述された構成において、オリフィス表面、及び故にノズルうえの保護流体の存在は、長期間印刷しない間、印刷ヘッド上の堆積物の蓄積を防止する。
【０１４０】
印刷の再開が望まれる場合に、インクが隙間から除去される。随意に、他の維持手順は、印刷ヘッド及び関連する構成に対して行われ、ナイトマスクは、印刷を続けることを可能にするために除去される。
【０１４１】
印刷ヘッドがスリットを有するマスク内でゆすられる、上述の典型的な場合では、ナイトプレートはスリットを密封するために使用され、よって、インクは印刷ヘッドのまわりの受け台に収容され、そしてインクは受け台から（スリットを介して）流れることを防止されている。印刷ヘッドがマスクなしで使用されている場合に、ナイトプレートは、印刷ヘッドを囲む縁部（マスクに取り付けられる図１２に関して記述された縁部（１２００）と同様）を含む。ヘッドにナイトプレートを取り付けることは、印刷ヘッドに受け台を提供する。この受け台は、印刷ヘッドからパージされたインクを包含し、オリフィス表面のための槽を作る。
【０１４２】
図２０（印刷システムのための制御サブシステムの略図）を参照すると、印刷ヘッドに対する成形ワイパの移動を制御するため、及び印刷しない期間中にインクリテーナーに印刷ヘッドを保管するために、このシステムは使用される。制御サブシステム（２０００）は、適用により必要とされる具体的な制御に依存して、様々な処理モジュールを含む。本実施形態の制御サブシステム（２０００）のハイレベルブロック図は、プロセッサー（２００２）、トランシーバモジュール（２０１０）、及び随意のメモリー装置：ＲＡＭ（２００４）、ブートＲＯＭ（２００６）、及び不揮発性メモリー（２００８）、共通バス（２０１２）を介する全ての通信を含む。典型的には、制御サブシステム（２０００）の構成は、ホスト（２０２０）に配置される。
【０１４３】
トランシーバモジュール（２０１０）は、様々な印刷システムの構成部品から、データを受信及び／又は送信するように構成され得、限定されないが、以下の情報を受信することを含み：
印刷ヘッドの位置及び状態；
印刷の質；
印刷システムの制御のためのユーザー又は自動コマンド；
１以上の成形ワイパの位置；
印刷インクの清潔さなどの、保護液の質；及び
ナイトプレートを含む、１以上のインクリテーナーの位置及び状態；
及び、前記トランシーバモジュールは、以下のことを行うために情報を送信する：
成形ワイパ又はインクリテーナーに対して印刷ヘッドを位置付ける；
印刷の状態、印刷の質、及び１以上の成形ワイパの状態（ワイパがどれくらいの時間使用されたか、ワイパの清潔さがどのようなものか、など）、１以上のインクリテーナーで使用される、保護液（印刷インクのような）の状態及び質に関する、ユーザー又は他の自動処理法を更新する；
１以上の印刷ヘッドに対して、１以上のインクリテーナーを位置付ける；
印刷ヘッドにナイトプレートを取り付ける；
印刷ヘッドからナイトプレートを分離する；
ナイトプレートを含むインクリテーナーをインクで満たすように作動する；及び
ナイトプレートを含む、インクリテーナーからインクを除去するように作動する。
【０１４４】
受信される情報及び送信される情報は、ＲＡＭ（２００４）のような揮発性メモリー、及び／又は不揮発性メモリー（２００８）に蓄積され得る。ＲＡＭ（２００４）及び不揮発性メモリー（２００８）は、データ用の保管モジュールとして構成され得る。不揮発性メモリー（２００８）は、印刷しない期間に成形ワイパを使用するワイピング、及び／又は印刷ヘッドの保管装置を実行するためのコンピューター読み取り可能なコードを含むコンピューター読み取り可能な保管媒体の一例である。そのようなコンピューター読み取り可能な保管媒体の他の例は、そのようなコードを含むＣＤのような読み取り専用メモリーを含む。一般に、制御サブシステム（２０００）は、現在の発明の上記方法を遂行するように構成され得る。
【０１４５】
この実施形態の記載を補助するために単純化された計算の使用は、本発明の有用性及び基礎的な利点を損ねるべきではない。
【０１４６】
上述の実施例、使用された数字、及び例示的な計算は、この実施形態の記載を補助するためのものであるということに注意されたい。不注意の誤記及び数学的な誤りが、本発明の有用性及び基礎的な利点を損ねるべきではない。
【０１４７】
上記記載は、例示としての役目を果たすことのみが意図され、そして多くの他の実施形態が、添付された特許請求の範囲で定義されるような、本発明の範囲内で可能であることが認識されるであろう。
【図１】
2020097236.tif 000003
【図２】
2020097236.tif 000004
【図３】
2020097236.tif 000005
【図４】
2020097236.tif 000006
【図５】
2020097236.tif 000007
【図６】
2020097236.tif 000008
【図７Ａ】
2020097236.tif 000009
【図７Ｂ】
2020097236.tif 000010
【図８】
2020097236.tif 000011
【図９Ａ】
2020097236.tif 000012
【図９Ｂ】
2020097236.tif 000013
【図１０】
2020097236.tif 000014
【図１１Ａ】
2020097236.tif 000015
【図１１Ｂ】
2020097236.tif 000016
【図１２】
2020097236.tif 000017
【図１３】
2020097236.tif 000018
【図１４】
2020097236.tif 000019
【図１５】
2020097236.tif 000020
【図１６】
2020097236.tif 000021
【図１７】
2020097236.tif 000022
【図１８】
2020097236.tif 000023
【図１９】
2020097236.tif 000024
【図２０】
2020097236.tif 000025
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
印刷していない長期間に堆積物の蓄積を防ぐ方法であって、前記方法は、
金属粒子を含む印刷液を出すための複数のノズルを印刷ヘッドに設ける工程と、
印刷しない期間中に、前記印刷液をリザーバーから前記印刷ヘッドに流し、前記複数の
ノズルを介して、実質的に全ての前記複数のノズルの下に位置するリテーナーに流す工程
と、および
前記金属粒子が沈降するのを防止するために、前記リテーナーから前記リザーバーへ印
刷液を循環させる工程とを含む、方法。
【請求項２】
前記印刷しない期間は１週間までであり、前記印刷液を前記印刷ヘッドに循環させるこ
とは、前記複数のノズルが詰まることなく前記印刷ヘッドを維持する、請求項１に記載
の方法。
【請求項３】
前記リテーナーを満たすために前記印刷ヘッドから前記印刷液をパージする工程をさら
に含む、請求項１に記載の方法。
【請求項４】
前記印刷しない期間中およびパージ前に、前記印刷液の粘性を低下させるために、あら
かじめ決定した温度に前記印刷ヘッドを加熱する工程をさらに含む、請求項３に記載の
方法。
【請求項５】
前記パージが行われる前に前記印刷ヘッドを加熱する工程をさらに含む、請求項３に
記載の方法。
【請求項６】
前記金属粒子が沈降するのを防止するために、前記印刷しない期間中に前記印刷液を攪
拌する工程をさらに含む、請求項１に記載の方法。
【請求項７】
前記印刷液の攪拌は、前記印刷液を、前記リザーバーから前記印刷ヘッドおよび前記リ
テーナーから前記リザーバーへ定期的に流す工程を含む、請求項６に記載の方法。
【請求項８】
前記印刷液の攪拌は、約３０分ごとに、前記印刷液を、前記リザーバーから前記印刷ヘ
ッド定期的に循環させる工程を含む、請求項６に記載の方法。
【外国語明細書】
2020097236000001.pdf